(57)【特許請求の範囲】
【請求項１】
物体側から順に、
負の屈折力を有する第１レンズ群と、
一体で移動する明るさ絞りを含み、正の屈折力を有する第２レンズ群と、
負の屈折力を有する第３レンズ群と、
正の屈折力を有する第４レンズ群と、
からなり、
広角端から望遠端への変倍時、
前記第１レンズ群と前記第２レンズ群の間隔が狭くなり、
前記第２レンズ群と前記第３レンズ群の間隔が変化し、
前記第３レンズ群と前記第４レンズ群の間隔が広くなり、
前記第１レンズ群は、物体側から順に、
負の屈折力を有する両凹形状の両凹単レンズと、
物体からの光線を折り曲げる反射面を有する反射プリズムと、
正の屈折力を有する単レンズである正単レンズと、
からなり、
前記両凹単レンズは、以下の条件式（８Ａ）を満足する形状を持ち、
前記第２レンズ群と前記第４レンズ群は、以下の条件式（１１）を満足して移動する
ことを特徴とするズームレンズ。
−０．５＜（Ｒ11F＋Ｒ11R）／（Ｒ11F−Ｒ11R）≦０．８５７    …（８Ａ）
−０．５０  ＜  M4/M2  ＜  −０．０１                       …（１１）
ただし、
Ｒ11Fは、前記第１レンズ群の前記両凹単レンズの物体側面の曲率半径、
Ｒ11Rは、前記第１レンズ群の前記両凹単レンズの像側面の曲率半径、
M2は、無限遠物点合焦時において、広角端から望遠端に至る前記第２レンズ群の移動量、
M4は、無限遠物点合焦時において、広角端から望遠端に至る前記第４レンズ群の移動量、
である。
【請求項２】
以下の条件式（１）を満足することを特徴とする請求項１に記載のズームレンズ。
０  ＜  ｆw／ｆ13  ＜  １．０                               …（１）
ただし、
ｆ13は、前記第１レンズ群の前記正単レンズの焦点距離、
ｆwは、広角端での無限遠物点合焦時における全系の焦点距離、
である。
【請求項３】
以下の条件式（２）を満足することを特徴とする請求項１に記載のズームレンズ。
０  ＜  ｆt／ｆ13  ＜  ３．０                               …（２）
ただし、
ｆ13は、前記第１レンズ群の前記正単レンズの焦点距離、
ｆtは、望遠端での無限遠物点合焦時における全系の焦点距離、
である。
【請求項４】
以下の条件式（３）を満足することを特徴とする請求項１に記載のズームレンズ。
−３．０  ＜  ｆw／ｆ11  ＜  −０．４１                     …（３）
ただし、
ｆ11は、前記第１レンズ群の前記両凹単レンズの焦点距離、
ｆwは、広角端での無限遠物点合焦時における全系の焦点距離、
である。
【請求項５】
以下の条件式（４）を満足することを特徴とする請求項１に記載のズームレンズ。
−９．０  ＜  ｆt／ｆ11  ＜  −１．０                       …（４）
ただし、
ｆ11は、前記第１レンズ群の前記両凹単レンズの焦点距離、
ｆtは、望遠端での無限遠物点合焦時における全系の焦点距離、
である。
【請求項６】
以下の条件式（５）を満足することを特徴とする請求項１に記載のズームレンズ。
−０．６  ＜  ｆ11／ｆ13  ＜  ０                            …（５）
ただし、
ｆ11は、前記第１レンズ群の前記両凹単レンズの焦点距離、
ｆ13は、前記第１レンズ群の前記正単レンズの焦点距離、である。
【請求項７】
以下の条件式（６）を満足することを特徴とする請求項１に記載のズームレンズ。
０．０１８１  ＜  １／ν13−１／ν11  ＜  ０．０５          …（６）
ただし、
ν11は、前記第１レンズ群の前記両凹単レンズの媒質のアッベ数、
ν13は、前記第１レンズ群の前記正単レンズの媒質のアッベ数、
である。
【請求項８】
以下の条件式（７）を満足することを特徴とする請求項１に記載のズームレンズ。
−１．５０  ＜  ｆｆ1／ｆ1    ＜    -０．２０               …（７）
ただし、
ｆ1は、前記第１レンズ群の合成焦点距離、
ｆf1は、前記第１レンズ群の前側焦点位置、である。
【発明の詳細な説明】
【技術分野】
【０００１】
本発明は、撮像モジュールに使用されるズームレンズ及び該ズームレンズを有する撮像装置に関するものである。
【背景技術】
【０００２】
近年、デジタルカメラは、小型薄型でありながら、高変倍比、広角化とともにさらなる高画素数化が強く求められている。
【０００３】
これまで、光学系の薄型化に有利であるとして用いられてきた結像光学系として、例えば、特開２００３-４３３５４号公報（特許文献１）や特開２００３−３０２５７６号公報（特許文献２）に開示された結像光学系がある。特許文献１又は特許文献２に開示された結像光学系は、最も物体側のレンズ群に光路を折り曲げるための反射光学素子（以下、単に反射光学素子とする）を用いている。  
【０００４】
ところで、反射光学素子を用いた結像光学系は、反射光学素子を有するレンズ群が特許文献１のように負の屈折力であるタイプと特許文献２のように正の屈折力であるかかに大別できる。
【０００５】
物体側から反射光学素子を有するレンズ群が正の屈折力のものの例として、特開２００３−３２９９３０号公報（特許文献３）、特開２００４−２６４３４３号公報（特許文献４）、特開２００８−８３１２５号公報（特許文献５）、特開２００８−１９１２８６号公報（特許文献６）、特開２００９−２６５５５３号公報（特許文献７）、特開２０１０−３９１８８号公報（特許文献８）、特開２０１１−３９１０１号公報（特許文献９）などがある。
【０００６】
また、反射光学素子を有するレンズ群が負の屈折力であるものの例として、特開２００４−６９８０８号公報（特許文献１０）、特開２００４−２０５７９６号公報（特許文献１１）、特開２００４−３４８０８２号公報（特許文献１２）、特開２０１０−１５２１４５（特許文献１３）などがある。
【先行技術文献】
【特許文献】
【０００７】
【特許文献１】特開２００３−４３３５４号公報
【特許文献２】特開２００３−３０２５７６号公報
【特許文献３】特開２００３−３２９９３０号公報
【特許文献４】特開２００４−２６４３４３号公報
【特許文献５】特開２００８−８３１２５号公報
【特許文献６】特開２００８−１９１２８６号公報
【特許文献７】特開２００９−２６５５５３号公報
【特許文献８】特開２０１０−３９１８８号公報
【特許文献９】特開２０１１−３９１０１号公報
【特許文献１０】特開２００４−６９８０８号公報
【特許文献１１】特開２００４−２０５７９６号公報
【特許文献１２】特開２００４−３４８０８２号公報
【特許文献１３】特開２０１０−１５２１４５号公報
【発明の概要】
【発明が解決しようとする課題】
【０００８】
本発明では、変倍比が大きくて全長が短く、特に偏心敏感度（偏心誤差による収差劣化度合い）が低く構成枚数が少ないズームレンズ及びそれを有する撮像装置を提供することを目的としている。
【課題を解決するための手段】
【０００９】
本発明のある態様に係るズームレンズは、
物体側から順に、
負の屈折力を有する第１レンズ群と、
一体で移動する明るさ絞りを含み、正の屈折力を有する第２レンズ群と、
負の屈折力を有する第３レンズ群と、
正の屈折力を有する第４レンズ群と、
からなり、
広角端から望遠端への変倍時、
前記第１レンズ群と前記第２レンズ群の間隔が狭くなり、
前記第２レンズ群と前記第３レンズ群の間隔が変化し、
前記第３レンズ群と前記第４レンズ群の間隔が広くなり、
前記第１レンズ群は、物体側から順に、
負の屈折力を有する両凹形状の両凹単レンズと、
物体からの光線を折り曲げる反射面を有する反射プリズムと、
正の屈折力を有する単レンズである正単レンズと、
からなり、
前記両凹単レンズは、以下の条件式（８Ａ）を満足する形状を持ち、
前記第２レンズ群と前記第４レンズ群は、以下の条件式（１１）を満足して移動する
ことを特徴とする。
−０．５＜（Ｒ11F＋Ｒ11R）／（Ｒ11F−Ｒ11R）≦０．８５７    …（８Ａ）
−０．５０  ＜  M4/M2  ＜  −０．０１                       …（１１）
ただし、
Ｒ11Fは、前記第１レンズ群の前記両凹単レンズの物体側面の曲率半径、
Ｒ11Rは、前記第１レンズ群の前記両凹単レンズの像側面の曲率半径、
M2は、無限遠物点合焦時において、広角端から望遠端に至る前記第２レンズ群の移動量、
M4は、無限遠物点合焦時において、広角端から望遠端に至る前記第４レンズ群の移動量、
である。
【発明の効果】
【００１０】
この態様に係るズームレンズによれば、変倍比が大きくて全長が短く、特に偏心敏感度（偏心誤差による収差劣化度合い）が低く構成枚数が少ないズームレンズ及びそれを有する撮像装置を提供することが可能となる。
【図面の簡単な説明】
【００１１】
【図１】実施例１のレンズ系を展開して光軸に沿ってとった断面図である。
【図２】実施例２のレンズ系を展開して光軸に沿ってとった断面図である。
【図３】実施例３のレンズ系を展開して光軸に沿ってとった断面図である。
【図４】実施例４のレンズ系を展開して光軸に沿ってとった断面図である。
【図５】実施例５のレンズ系を展開して光軸に沿ってとった断面図である。
【図６】実施例６のレンズ系を展開して光軸に沿ってとった断面図である。
【図７】実施例７のレンズ系を展開して光軸に沿ってとった断面図である。
【図８】実施例８のレンズ系を展開して光軸に沿ってとった断面図である。
【図９】実施例９のレンズ系を展開して光軸に沿ってとった断面図である。
【図１０】実施例１０のレンズ系を展開して光軸に沿ってとった断面図である。
【図１１】実施例１１のレンズ系を展開して光軸に沿ってとった断面図である。
【図１２】実施例１２のレンズ系を展開して光軸に沿ってとった断面図である。
【図１３】実施例１３のレンズ系を展開して光軸に沿ってとった断面図である。
【図１４】実施例１４のレンズ系を展開して光軸に沿ってとった断面図である。
【図１５】実施例１のレンズ系の収差図である。
【図１６】実施例２のレンズ系の収差図である。
【図１７】実施例３のレンズ系の収差図である。
【図１８】実施例４のレンズ系の収差図である。
【図１９】実施例５のレンズ系の収差図である。
【図２０】実施例６のレンズ系の収差図である。
【図２１】実施例７のレンズ系の収差図である。
【図２２】実施例８のレンズ系の収差図である。
【図２３】実施例９のレンズ系の収差図である。
【図２４】実施例１０のレンズ系の収差図である。
【図２５】実施例１１のレンズ系の収差図である。
【図２６】実施例１２のレンズ系の収差図である。
【図２７】実施例１３のレンズ系の収差図である。
【図２８】実施例１４のレンズ系の収差図である。
【図２９】本実施形態のレンズ系を交換レンズとして用いた撮像装置の断面図である。
【図３０】本実施形態のデジタルカメラの外観を示す前方斜視図である。
【図３１】本実施形態のデジタルカメラの外観を示す後方斜視図である。
【図３２】本実施形態のデジタルカメラの制御構成を示すブロック図である。
【発明を実施するための形態】
【００１２】
実施例に先立ち、本発明のある態様における実施形態の作用効果を説明する。なお、この実施形態によって本発明は限定されるものではない。すなわち、実施形態の説明に当たって、例示のために特定の詳細な内容が多く含まれるが、当業者であれば、これらの詳細な内容に色々なバリエーションや変更を加えても、本発明の範囲を超えないことは理解できよう。従って、以下で説明する本発明の例示的な実施形態は、権利請求された発明に対して、一般性を失わせることなく、また、何ら限定をすることもなく、述べられたものである。
【００１３】
本実施形態のズームレンズは、物体側から順に、負の屈折力を有する第１レンズ群と、一体で移動する明るさ絞りを含み、正の屈折力を有する第２レンズ群と、負の屈折力を有する第３レンズ群と、正の屈折力を有する第４レンズ群と、を有し、広角端から望遠端への変倍時、前記第１レンズ群と前記第２レンズ群の間隔が狭くなり、前記第２レンズ群と前記第３レンズ群の間隔が変化し、前記第３レンズ群と前記第４レンズ群の間隔が広くなり、前記第１レンズ群は、負の屈折力を有する第１レンズと、物体からの光線を折り曲げる反射面を有する第２レンズと、正の屈折力を有する第３レンズと、を含む。
【００１４】
以下、このような構成をとった理由と作用を説明する。なお、近軸焦点距離が正の値のレンズを正レンズ、近軸焦点距離が負の値のレンズを負レンズとする。
【００１５】
本構成によれば、物体側から順に、負の屈折力を有する第１レンズ群と、一体で移動する明るさ絞りを含み、正の屈折力を有する第２レンズ群と、負の屈折力を有する第３レンズ群と、正の屈折力を有する第４レンズ群と、を有し、広角端から望遠端への変倍時、前記第１レンズ群と前記第２レンズ群の間隔が狭くなり、前記第２レンズ群と前記第３レンズ群の間隔が変化し、前記第３レンズ群と前記第４レンズ群の間隔が広くなるため、特に偏心敏感度を低く、全長を短く、構成枚数を少なくしやすくなる。
【００１６】
また、前記第１レンズ群は、負の屈折力を有する第１レンズと、物体からの光線を折り曲げる反射面を有する第２レンズと、正の屈折力を有する第３レンズと、を含むので、奥行き方向の薄型化、すなわち第２レンズの薄型化を行ないやすくなる。
【００１７】
以上の理由から、本構成により、広角端画角が４０°を超え、変倍比を５倍程度であるズームレンズを提供しやすくなる。特に偏心敏感度（偏心誤差による収差劣化度合い）を低くしやすくなる。また、構成枚数が少ない共に、全長が短く、奥行きの薄いズームレンズを提供しやすくなる。
【００１８】
更には、上述の光学系は、以下のいずれかの構成を有する事がより好ましい。
【００１９】
上記構成をとる場合、ズームレンズは、以下の条件式（１）を満足することが好ましい。
０  ＜  ｆw／ｆ13  ＜  １．０                          ・・・（１）
ただし、
ｆ13は、前記第１レンズ群の前記第３レンズの焦点距離、
ｆwは、広角端（無限遠物点合焦時）における全系の焦点距離、
である。
【００２０】
条件式（１）の下限値を下回ると、第２レンズが肥大化し、奥行きを薄くすることが困難になる。
【００２１】
条件式（１）の上限値を上回ると、第１レンズ群を構成するレンズエレメントの曲率が強くなりすぎる。特に広角端における歪曲収差、メリジオナル像面湾曲あるいはコマ収差が悪化しやすい。
【００２２】
なお、条件式（１）に代えて、次の条件式（１’）を満足すると、より好ましい。
０．０４  ＜  ｆw／ｆ13  ＜  ０．８                    ・・・（１'）
【００２３】
さらに、条件式（１）に代えて、次の条件式（１”）を満足すると、より一層好ましい。
０．０６  ＜  ｆw／ｆ13  ＜  ０．６                    ・・・（１"）
【００２４】
あるいは、条件式（１）に代えて、次の条件式（１”'）を満足すると、さらに好ましい。
０．０８  ＜  ｆw／ｆ13  ＜  ０．５                    ・・・（１" '）
【００２５】
また、ズームレンズは、以下の条件式（２）を満足することが好ましい。
０  ＜  ｆt／ｆ13  ＜  ３．０                          ・・・（２）
ただし、
ｆ13は、前記第１レンズ群の前記第３レンズの焦点距離、
ｆtは、望遠端（無限遠物点合焦時）における全系の焦点距離、
である。
【００２６】
条件式（２）の下限値を下回ると、望遠側の軸上色収差補正が困難になる。
【００２７】
条件式（２）の上限値を上回ると、第１レンズ群を構成するレンズエレメントの曲率が強くなりすぎ、特に望遠側の球面収差やコマ収差が悪化しやすい。
【００２８】
なお、条件式（２）に代えて、次の条件式（２’）を満足すると、より好ましい。
０．２  ＜  ｆt／ｆ13  ＜  ２．４                      ・・・（２'）
【００２９】
さらに、条件式（２）に代えて、次の条件式（２”）を満足すると、より一層好ましい。
０．３  ＜  ｆt／ｆ13  ＜  １．８                      ・・・（２"）
【００３０】
あるいは、条件式（２）に代えて、次の条件式（２”'）を満足すると、さらに好ましい。
０．４  ＜  ｆt／ｆ13  ＜  １．５                      ・・・（２"’）
【００３１】
また、ズームレンズは、以下の条件式（３）を満足することが好ましい。
−３．０  ＜  ｆw／ｆ11  ＜  −０．４１                ・・・（３）
ただし、
ｆ11は、前記第１レンズ群の前記第１レンズの焦点距離、
ｆwは、広角端（無限遠物点合焦時）における全系の焦点距離、
である。
【００３２】
条件式（３）の上限値を上回ると、第２レンズが肥大化し、奥行きを薄くすることが困難になる。
【００３３】
条件式（３）の下限値を下回ると、第１レンズ群を構成するレンズエレメントの曲率が強くなりすぎるため、特に広角端における歪曲収差、メリジオナル像面湾曲あるいはコマ収差が悪化しやすい。
【００３４】
なお、条件式（３）に代えて、次の条件式（３’）を満足すると、より好ましい。
−２．４  ＜  ｆw／ｆ11  ＜  −０．５１                ・・・（３'）
【００３５】
さらに、条件式（３）に代えて、次の条件式（３”）を満足すると、より一層好ましい。
−２．０  ＜  ｆw／ｆ11  ＜  −０．５６                ・・・（３"）
【００３６】
あるいは、条件式（３）に代えて、次の条件式（３”'）を満足すると、さらに好ましい。
−１．８  ＜  ｆw／ｆ11  ＜  −０．５８                ・・・（３"’）
【００３７】
また、ズームレンズは、以下の条件式（４）を満足することが好ましい。
−９．０  ＜  ｆt／ｆ11  ＜  −１．０                  ・・・（４）
ただし、
ｆ11は、第１レンズ群の第１レンズの焦点距離、
ｆtは、望遠端（無限遠物点合焦時）における全系の焦点距離、
である。
【００３８】
条件式（４）の下限値を下回ると、望遠側の軸上色収差補正が困難になる。
【００３９】
条件式（４）の上限値を上回ると、第１レンズ群を構成するレンズエレメントの曲率が強くなりすぎ、特に望遠側の球面収差やコマ収差が悪化しやすい。
【００４０】
なお、条件式（４）に代えて、次の条件式（４’）を満足すると、より好ましい。
−８．０  ＜  ｆt／ｆ11  ＜  −１．５                  ・・・（４'）
【００４１】
さらに、条件式（４）に代えて、次の条件式（４”）を満足すると、より一層好ましい。
−７．０  ＜  ｆt／ｆ11  ＜  −２．１                  ・・・（４"）
【００４２】
あるいは、条件式（４）に代えて、次の条件式（４”'）を満足すると、さらに好ましい。
−６．０  ＜  ｆt／ｆ11  ＜  −２．４                  ・・・（４"’）
【００４３】
また、ズームレンズは、以下の条件式（５）を満足することが好ましい。
−０．６  ＜  ｆ11／ｆ13  ＜  ０                        ・・・（５）
【００４４】
条件式（５）の上限値を上回ると、第２レンズが肥大化すると同時に、広角から望遠に至るまで色収差の補正が困難となる。
【００４５】
条件式（５）の下限値を下回ると、第１レンズ群全体の屈折力が低下し、変倍比の確保が困難となる。
【００４６】
なお、条件式（５）に代えて、次の条件式（５’）を満足すると、より好ましい。
−０．５  ＜  ｆ11／ｆ13  ＜  −０．０４                ・・・（５'）
【００４７】
さらに、条件式（５）に代えて、次の条件式（５”）を満足すると、より一層好ましい。
−０．４  ＜  ｆ11／ｆ13  ＜  −０．０８                ・・・（５"）
【００４８】
あるいは、条件式（５）に代えて、次の条件式（５”'）を満足すると、さらに好ましい。
−０．３  ＜  ｆ11／ｆ13  ＜  −０．１２                ・・・（５"’）
【００４９】
また、ズームレンズは、以下の条件式（６）を満足することが好ましい。
０．０１８１  ＜  １／ν13−１／ν11  ＜  ０．０５      ・・・（６）
ただし、
ν11は、前記第１レンズ群の前記第１レンズの媒質のアッベ数、
ν13は、前記第１レンズ群の前記第３レンズの媒質のアッベ数、
である。
【００５０】
条件式（６）の下限値を下回ると、望遠端の軸上色収差と広角端の倍率色収差の補正が困難となる。
【００５１】
条件式（６）の上限値を上回ると、前記色収差が補正過剰になる。
【００５２】
なお、条件式（６）に代えて、次の条件式（６’）を満足すると、より好ましい。
０．０１８３  ＜  １／ν13−１／ν11  ＜  ０．０６        ・・・（６'）
【００５３】
さらに、条件式（６）に代えて、次の条件式（６”）を満足すると、より一層好ましい。
０．０１８４  ＜  １／ν13−１／ν11  ＜  ０．０５        ・・・（６"）
【００５４】
また、ズームレンズは、以下の条件式（７）を満足することが好ましい。
−１．５０  ＜  ｆｆ1／ｆ1  ＜  −０．２０                ・・・（７）
ただし、
ｆ1は、第１レンズ群の合成焦点距離、
ｆf1は、第１レンズ群の前側焦点位置、である。
【００５５】
条件式（７）の上限値を上回ると、第２レンズが肥大化しやすい。
【００５６】
条件式（７）の下限値を下回ると、ディストーションとコマ収差の補正が困難になり、ズーム比の確保ができなくなる。
【００５７】
なお、条件式（７）に代えて、次の条件式（７’）を満足すると、より好ましい。
−１．０３  ＜  ｆｆ1／ｆ1  ＜  −０．３０                ・・・（７'）
【００５８】
さらに、条件式（７）に代えて、次の条件式（７”）を満足すると、より一層好ましい。
−１．００  ＜  ｆｆ1／ｆ1  ＜  −０．３５                ・・・（７"）
【００５９】
また、ズームレンズは、以下の条件式（８）を満足することが好ましい。
−０．５＜（Ｒ11F＋Ｒ11R）／（Ｒ11F−Ｒ11R）＜１．８      ・・・（８）
ただし、
Ｒ11Fは、第１レンズ群の第１レンズの物体側面の曲率半径、
Ｒ11Rは、第１レンズ群の第１レンズの像側面の曲率半径、
である。
【００６０】
条件式（８）の上限値を上回ると、第２レンズが肥大化しやすい。また、望遠側の球面収差やコマ収差が悪化しやすい。
【００６１】
条件式（８）の下限値を下回ると、広角側における歪曲収差やメリジオナル像面湾曲あるいはコマ収差が悪化しやすい。
【００６２】
なお、条件式（８）に代えて、次の条件式（８’）を満足すると、より好ましい。
−０．３＜（Ｒ11F＋Ｒ11R）／（Ｒ11F−Ｒ11R）＜１．０      ・・・（８'）
【００６３】
さらに、条件式（８）に代えて、次の条件式（８”）を満足すると、より一層好ましい。
−０．１＜（Ｒ11F＋Ｒ11R）／（Ｒ11F−Ｒ11R）＜０．９３    ・・・（８"）
【００６４】
あるいは、条件式（８）に代えて、次の条件式（８”’）を満足すると、さらに好ましい。
−０．０＜（Ｒ11F＋Ｒ11R）／（Ｒ11F−Ｒ11R）＜０．９０    ・・・（８"'）
【００６５】
また、全長を短縮するためには、第２レンズ群の屈折力を高くすると効果的である。色収差やコマ収差をはじめとする各収差を補正することを考えると、第２レンズ群は、３つのレンズ成分にて構成するのが望ましい。また、第２レンズ群の３つのレンズ成分のうちいずれか１つのレンズ成分が複数のレンズの接合からなっていると、色収差やコマ収差を補正するために望ましい。また、変倍時の色収差やコマ収差の変動を少なくするために、第２レンズ群の３つのレンズ成分のうち中央のレンズ成分が接合レンズ成分であると良い。また、ズームレンズの全長を短縮する点から、接合レンズ成分は物体側から順に、正レンズと負レンズの順の接合が良い。
【００６６】
また、第３レンズ群は、フォーカスレンズとして使用することを考え、１つのレンズ成分にて構成するのが望ましい。フォーカシング時の収差変動を考慮しても単レンズで良い。
【００６７】
また、変倍時に、第３レンズ群は、第２レンズ群と同様に、広角端から望遠端に至るまで物体側一方向に移動する。第３レンズ群は、変倍効率やフォーカススペースを考慮して、広角端よりも望遠端のほうでより物体側に位置するように移動する。
【００６８】
また、ズームレンズは、以下の条件式（９）を満足することが好ましい。
０．０３  ＜  Ｄ23t／Ｄ34t  ＜  ０．９５                    ・・・（９）
ただし、
Ｄ23tは、無限遠物点合焦時の第２レンズ群の最も像側の屈折面の面頂から第３レンズ群の最も物体側の屈折面の面頂までの距離、
Ｄ34tは、無限遠物点合焦時の第３レンズ群の最像側屈折面の面頂から第４レンズ群の最物体側屈折面の面頂までの距離、
である。
【００６９】
条件式（９）の上限値を上回ると、第３レンズ群による変倍効果が少なくなり、また、場合によってはフォーカシング時の移動スペースの確保が難しくなる。
【００７０】
条件式（９）の下限値を下回ると、望遠側での偏心感度（特にコマ収差）が悪化しやすい。
【００７１】
なお、条件式（９）に代えて、次の条件式（９’）を満足すると、より好ましい。
０．０６  ＜  Ｄ23t／Ｄ34t  ＜  ０．５９                  ・・・（９'）
【００７２】
さらに、条件式（９）に代えて、次の条件式（９”）を満足すると、より一層好ましい。
０．０８  ＜  Ｄ23t／Ｄ34t  ＜  ０．５７                  ・・・（９"）
【００７３】
また、第４レンズ群は、全長を短く、可動群の移動スペースを確保することを考慮し、１つのレンズ成分にて構成するのが望ましい。さらに、それも単レンズが良い。
【００７４】
また、ズームレンズは、以下の条件式（１０）を満足することが好ましい。なお、像側への移動を正とし、物体側を負とする。
０．４５  ＜  M3/M2  ＜  １．３０                          ・・・（１０）
ただし、
M2は、無限遠物点合焦時において、広角端から望遠端に至る前記第２レンズ群の移動量、
M3は、無限遠物点合焦時において、広角端から望遠端に至る前記第３レンズ群の移動量、
である。
【００７５】
本実施形態では、第２レンズの薄型化と全長短縮による光学系の小型化を主眼に置いている。そして、第１レンズ群は、負の屈折力を有する第１レンズと、物体からの光線を折り曲げる反射面を有する第２レンズと、正の屈折力を有する第３レンズと、にて構成している。そのため、第２レンズ群と第３レンズ群は、合成倍率が−１倍前後になるように、変倍時に移動している。
【００７６】
条件式（１０）の上限値を上回ると、光学系が大型化する。
【００７７】
条件式（１０）の下限値を下回っても、光学系が大型化する。
【００７８】
さらに、無理に小型化すると、広角端のメリジオナル像面湾曲、コマ収差、又は倍率色収差、望遠端の球面収差、コマ収差、又は軸上色収差、あるいは中間焦点距離における軸上色収差が悪化しやすい。
【００７９】
なお、条件式（１０）に代えて、次の条件式（１０’）を満足すると、より好ましい。
０．６４  ＜  M3/M2  ＜  １．２５                          ・・・（１０'）
【００８０】
さらに、条件式（１０）に代えて、次の条件式（１０”）を満足すると、より一層好ましい。
０．７０  ＜  M3/M2  ＜  １．２０                          ・・・（１０"）
【００８１】
また、ズームレンズは、以下の条件（１１）を満足することが好ましい。なお、像側への移動を正とし、物体側を負とする。
−０．５０  ＜  M4/M2  ＜  −０．０１                      ・・・（１１）
ただし、
M2は、無限遠物点合焦時において、広角端から望遠端に至る前記第２レンズ群の移動量、
M4は、無限遠物点合焦時において、広角端から望遠端に至る前記第４レンズ群の移動量、
である。
【００８２】
条件式（１１）の上限値を上回ると、十分な変倍比を得ることが困難となり、無理に変倍比を大きくすると変倍時のメリジオナル像面湾曲の変動が大きくなりやすい。
【００８３】
条件式（１１）の下限値を下回ると、変倍のための各群の移動スペースが少なくなり却って、十分な変倍比を得ることが困難になる。
【００８４】
なお、条件式（１１）に代えて、次の条件式（１１’）を満足すると、より好ましい。
−０．３０  ＜  M4/M2  ＜  −０．０３                      ・・・（１１'）
【００８５】
さらに、条件式（１１）に代えて、次の条件式（１１”）を満足すると、より一層好ましい。
−０．２０  ＜  M4/M2  ＜  −０．０４                      ・・・（１１"）
【００８６】
また、ズームレンズは、第３レンズ群を合焦時に光軸方向に移動させる場合には、以下の条件式（１２）を満足することが好ましい。
−１．５  ＜  ｆ4/ｆ3  ＜  −０．２                        ・・・（１２）
ただし、
ｆ3は、前記第３レンズ群の焦点距離、
ｆ4は、前記第4レンズ群の焦点距離、
である。
【００８７】
条件式（１２）の下限値を下回ると、変倍時やフォーカシング時のコマ収差、メリジオナル像面湾曲の変動が大きくなりやすくなる。
【００８８】
条件式（１２）の上限値を上回ると、フォーカシング時の移動量が大きくなり近距離までフォーカスすることが困難になる。あるいは、第４レンズ群の径が大きくなりやすい。
【００８９】
なお、条件式（１２）に代えて、次の条件式（１２’）を満足すると、より好ましい。
−１．０８  ＜  ｆ4/ｆ3  ＜  −０．３                      ・・・（１２'）
【００９０】
さらに、条件式（１２）に代えて、次の条件式（１２”）を満足すると、より一層好ましい。
−１．０４  ＜  ｆ4/ｆ3  ＜  −０．３５                    ・・・（１２"）
【００９１】
また、ズームレンズは、以下の条件式（１３）を満足することが好ましい。
−０．９０  ＜  β23w  ＜  −０．３０                      ・・・（１３）
ただし、
β23wは、前記第２レンズ群と前記第３レンズ群の広角端無限遠物点合焦時の合成倍率
である。
【００９２】
条件式（１０）の上限値を上回ると、光学系が大型化する。
【００９３】
条件式（１０）の下限値を下回っても、光学系が大型化する。
【００９４】
また、無理に小型化すると、広角端のメリジオナル像面湾曲、コマ収差、又は倍率色収差、望遠端の球面収差、コマ収差、又は軸上色収差、あるいは中間焦点距離における軸上色収差が悪化しやすい。
【００９５】
なお、条件式（１３）に代えて、次の条件式（１３’）を満足すると、より好ましい。
−０．６９  ＜  β23w  ＜  −０．４０                      ・・・（１３'）
【００９６】
さらに、条件式（１３）に代えて、次の条件式（１３”）を満足すると、より一層好ましい。
−０．６６  ＜  β23w  ＜  −０．４５                      ・・・（１３"）
【００９７】
また、ズームレンズは、以下の条件（１４）を満足することが好ましい。
−３．０  ＜  β23t  ＜  −１．１                          ・・・（１４）
ただし、β23tは、前記第２レンズ群と第３レンズ群の望遠端（無限遠物点合焦時）の合成倍率である。
【００９８】
条件式（１４）の上限値を上回ると、光学系が大型化する。
【００９９】
条件式（１４）の下限値を下回っても、光学系が大型化する。
【０１００】
さらに、無理に小型化すると、広角端のメリジオナル像面湾曲、コマ収差、又は倍率色収差、望遠端の球面収差、コマ収差、又は軸上色収差、あるいは中間焦点距離における軸上色収差が悪化しやすい。
【０１０１】
なお、条件式（１４）に代えて、次の条件式（１４’）を満足すると、より好ましい。
−２．７  ＜  β23t  ＜  −１．３                          ・・・（１４'）
【０１０２】
さらに、条件式（１４）に代えて、次の条件式（１４”）を満足すると、より一層好ましい。
−２．５  ＜  β23t  ＜  −１．５                          ・・・（１４"）
【０１０３】
また、ズームレンズは、以下の条件式（１５）を満足することが好ましい。
０．２４  ＜  log（Δβ34）／logγ  ＜  ０．７            ・・・（１５）
ただし、
Δβ34は、前記第３レンズ群と第４レンズ群の無限遠物点合焦時の広角端から望遠端までの合成倍率の変化量、
γは、全系の変倍比、である。
【０１０４】
本実施形態のズームレンズでは、変倍機能を第２レンズ群のみならず、第３レンズ群、第４レンズ群にも分散して収差補正を実施しやすくしている。
【０１０５】
条件式（１５）の下限値を下回ると、第２レンズ群の負担が大きくなり、コマ収差やメリジオナル像面湾曲が変倍時に変動しやすくなる。
【０１０６】
条件式（１５）の上限値を上回ると、全長が長くなりやすいか、逆に十分な変倍比を得ることが困難になる。
【０１０７】
なお、条件式（１５）に代えて、次の条件式（１５’）を満足すると、より好ましい。
０．３１  ＜  log（Δβ34）／logγ  ＜  ０．６            ・・・（１５'）
【０１０８】
さらに、条件式（１５）に代えて、次の条件式（１５”）を満足すると、より一層好ましい。
０．３１  ＜  log（Δβ34）／logγ  ＜  ０．５            ・・・（１５"）
【０１０９】
また、ズームレンズは、以下の条件式（１６）を満足することが好ましい。
−０．７０  ＜  ｆw／ｆ1  ＜  −０．２５                  ・・・（１６）
ただし、
ｆ1は、前記第１レンズ群の焦点距離、
ｆwは、広角端（無限遠物点合焦時）における全系の焦点距離、
である。
【０１１０】
条件式（１６）の下限値を下回ると、第２レンズが大きくなるか又は広角端での歪曲収差、メリジオナル像面湾曲、コマ収差あるいは望遠端での球面収差が悪化しやすい。
【０１１１】
条件式（１６）の上限値を上回ると、変倍率を稼ぐことが困難になりやすい。
【０１１２】
なお、条件式（１６）に代えて、次の条件式（１６’）を満足すると、より好ましい。
−０．５０  ＜  ｆw／ｆ1  ＜  −０．３０                  ・・・（１６'）
【０１１３】
さらに、条件式（１６）に代えて、次の条件式（１６”）を満足すると、より一層好ましい。
−０．５０  ＜  ｆw／ｆ1  ＜  −０．３５                  ・・・（１６"）
【０１１４】
以下、実施例１〜実施例１４のズームレンズについて図を用いて説明する。図１〜図１４は、本発明の実施例１〜実施例１４のレンズ系を展開して光軸に沿ってとった断面図である。各図において（ａ）は広角端（無限遠物点合焦時）、（ｂ）は中間状態（無限遠物点合焦時）、（ｃ）は望遠端（無限遠物点合焦時）を示している。
【０１１５】
なお、各実施例は、クイックリターンミラーのないカメラ本体に装着する交換レンズに用い、動画撮影が可能なレンズ系となっている。もちろん、一眼レフレックスカメラの交換レンズに用いてもよい。
【０１１６】
各図中、第１レンズ群はＧ1、第２レンズ群はＧ2、明るさ絞りはＳ、第３レンズ群はＧ3、第４レンズ群はＧ4、光学的ローパスフィルターはＦ、電子撮像素子であるＣＣＤのカバーガラスはＣ、ＣＣＤの像面はＩで示してある。なお、近赤外シャープカットコートを、例えば光学的ローパスフィルターＦに直接コーティングを施こしてもよく、また、別に赤外カット吸収フィルターを配置してもよい。
【０１１７】
図１は、実施例１のレンズ系の断面図である。
【０１１８】
実施例１のレンズ系は、図に示すように物体側から像側に順に、負屈折力の第１レンズ群Ｇ1と、正屈折力の第２レンズ群Ｇ2と、負屈折力の第３レンズ群Ｇ3と、正屈折力の第４レンズ群Ｇ4と、を備える。
【０１１９】
第１レンズ群Ｇ1は、物体側から像側に順に、両凹負レンズＬ11と、両平面プリズムレンズＬ12と、物体側に凸面を向けた正メニスカスレンズＬ13と、を有する。
【０１２０】
第２レンズ群Ｇ2は、物体側から像側に順に、両凸正レンズＬ21と、両凸正レンズＬ22と両凹負レンズＬ23の接合レンズＳＵ21と、両凸正レンズＬ24と、を有する。
【０１２１】
明るさ絞りＳは、第２レンズ群Ｇ2の物体側に配置される。
【０１２２】
第３レンズ群Ｇ3は、１枚の物体側に凸面を向けた負メニスカスレンズＬ31を有する。
【０１２３】
第４レンズ群Ｇ4は、１枚の両凸正レンズＬ41を有する。
【０１２４】
非球面は、第１レンズ群Ｇ1の両凹負レンズＬ11の両面Ｒ1，Ｒ2、第２レンズ群Ｇ2の物体側の両凸正レンズＬ21の両面Ｒ8，Ｒ9、第３レンズ群Ｇ3の負メニスカスレンズＬ31の両面Ｒ15，Ｒ16、第４レンズ群Ｇ4の両凸正レンズＬ41の像面側の面Ｒ18の７面に用いている。
【０１２５】
レンズ系が広角端から望遠端へ変倍する際の移動状態を以下に示す。
【０１２６】
第１レンズ群Ｇ1は、広角端から望遠端まで、固定である。
【０１２７】
第２レンズ群Ｇ2は、広角端から中間状態まで、第１レンズ群Ｇ1との間隔を狭め、第３レンズ群Ｇ3との間隔を狭めながら物体側に移動し、中間状態から望遠端まで、第１レンズ群Ｇ1との間隔を狭め、第３レンズ群Ｇ3との間隔を広げながら物体側に移動する。第２レンズ群Ｇ2は、望遠端では、広角端の位置より物体側に位置する。
【０１２８】
明るさ絞りＳは、広角端から望遠端まで、第２レンズ群Ｇ2と一体に物体側へ移動する。
【０１２９】
第３レンズ群Ｇ3は、広角端から中間状態まで、第２レンズ群Ｇ2との間隔を狭め、第４レンズ群Ｇ4との間隔を広げながら物体側に移動し、中間状態から望遠端まで、第２レンズ群Ｇ2との間隔を広げ、第４レンズ群Ｇ4との間隔を広げながら物体側に移動する。第３レンズ群Ｇ3は、望遠端では、広角端の位置より物体側に位置する。
【０１３０】
第４レンズ群Ｇ4は、広角端から望遠端まで、第３レンズ群Ｇ3との間隔を広げながら若干像面側に移動する。第４レンズ群Ｇ4は、望遠端では、広角端の位置より像面側に位置する。
【０１３１】
図２は、実施例２のレンズ系の断面図である。
【０１３２】
実施例２のレンズ系は、図に示すように物体側から像側に順に、負屈折力の第１レンズ群Ｇ1と、正屈折力の第２レンズ群Ｇ2と、負屈折力の第３レンズ群Ｇ3と、正屈折力の第４レンズ群Ｇ4と、を備える。
【０１３３】
第１レンズ群Ｇ1は、物体側から像側に順に、両凹負レンズＬ11と、両平面プリズムレンズＬ12と、物体側に凸面を向けた正メニスカスレンズＬ13と、を有する。
【０１３４】
第２レンズ群Ｇ2は、物体側から像側に順に、両凸正レンズＬ21と、両凸正レンズＬ22と両凹負レンズＬ23の接合レンズＳＵ21と、両凸正レンズＬ24と、を有する。
【０１３５】
明るさ絞りＳは、第２レンズ群Ｇ2の物体側に配置される。
【０１３６】
第３レンズ群Ｇ3は、１枚の物体側に凸面を向けた負メニスカスレンズＬ31を有する。
【０１３７】
第４レンズ群Ｇ4は、１枚の両凸正レンズＬ41を有する。
【０１３８】
非球面は、第１レンズ群Ｇ1の両凹負レンズＬ11の両面Ｒ1，Ｒ2、第２レンズ群Ｇ2の物体側の両凸正レンズＬ21の両面Ｒ8，Ｒ9、第３レンズ群Ｇ3の負メニスカスレンズＬ31の両面Ｒ15，Ｒ16、第４レンズ群Ｇ4の両凸正レンズＬ41の像面側Ｒ18の面の７面に用いている。
【０１３９】
レンズ系が広角端から望遠端へ変倍する際の移動状態を以下に示す。
【０１４０】
第１レンズ群Ｇ1は、広角端から望遠端まで、固定である。
【０１４１】
第２レンズ群Ｇ2は、広角端から中間状態まで、第１レンズ群Ｇ1との間隔を狭め、第３レンズ群Ｇ3との間隔を狭めながら物体側に移動し、中間状態から望遠端まで、第１レンズ群Ｇ1との間隔を狭め、第３レンズ群Ｇ3との間隔を広げながら物体側に移動する。第２レンズ群Ｇ2は、望遠端では、広角端の位置より物体側に位置する。
【０１４２】
明るさ絞りＳは、広角端から望遠端まで、第２レンズ群Ｇ2と一体に物体側へ移動する。
【０１４３】
第３レンズ群Ｇ3は、広角端から中間状態まで、第２レンズ群Ｇ2との間隔を狭め、第４レンズ群Ｇ4との間隔を広げながら物体側に移動し、中間状態から望遠端まで、第２レンズ群Ｇ2との間隔を広げ、第４レンズ群Ｇ4との間隔を広げながら物体側に移動する。第３レンズ群Ｇ3は、望遠端では、広角端の位置より物体側に位置する。
【０１４４】
第４レンズ群Ｇ4は、広角端から望遠端まで、第３レンズ群Ｇ3との間隔を広げながら若干像面側に移動する。第４レンズ群Ｇ4は、望遠端では、広角端の位置より像面側に位置する。
【０１４５】
図３は、実施例３のレンズ系の断面図である。
【０１４６】
実施例３のレンズ系は、図に示すように物体側から像側に順に、負屈折力の第１レンズ群Ｇ1と、正屈折力の第２レンズ群Ｇ2と、負屈折力の第３レンズ群Ｇ3と、正屈折力の第４レンズ群Ｇ4と、を備える。
【０１４７】
第１レンズ群Ｇ1は、物体側から像側に順に、両凹負レンズＬ11と、両平面プリズムレンズＬ12と、物体側に凸面を向けた正メニスカスレンズＬ13と、を有する。
【０１４８】
第２レンズ群Ｇ2は、物体側から像側に順に、両凸正レンズＬ21と、両凸正レンズＬ22と両凹負レンズＬ23の接合レンズＳＵ21と、両凸正レンズＬ24と、を有する。
【０１４９】
明るさ絞りＳは、第２レンズ群Ｇ2の物体側に配置される。
【０１５０】
第３レンズ群Ｇ3は、１枚の物体側に凸面を向けた負メニスカスレンズＬ31を有する。
【０１５１】
第４レンズ群Ｇ4は、１枚の像側に凸面を向けた正メニスカスレンズＬ41を有する。
【０１５２】
非球面は、第１レンズ群Ｇ1の両凹負レンズＬ11の両面Ｒ1，Ｒ2、第２レンズ群Ｇ2の物体側の両凸正レンズＬ21の両面Ｒ8，Ｒ9、第４レンズ群Ｇ4の正メニスカスレンズＬ41の像面側の面Ｒ18の５面に用いている。
【０１５３】
レンズ系が広角端から望遠端へ変倍する際の移動状態を以下に示す。
【０１５４】
第１レンズ群Ｇ1は、広角端から望遠端まで、固定である。
【０１５５】
第２レンズ群Ｇ2は、広角端から中間状態まで、第１レンズ群Ｇ1との間隔を狭め、第３レンズ群Ｇ3との間隔を狭めながら物体側に移動し、中間状態から望遠端まで、第１レンズ群Ｇ1との間隔を狭め、第３レンズ群Ｇ3との間隔を広げながら物体側に移動する。第２レンズ群Ｇ2は、望遠端では、広角端の位置より物体側に位置する。
【０１５６】
明るさ絞りＳは、広角端から望遠端まで、第２レンズ群Ｇ2と一体に物体側へ移動する。
【０１５７】
第３レンズ群Ｇ3は、広角端から中間状態まで、第２レンズ群Ｇ2との間隔を狭め、第４レンズ群Ｇ4との間隔を広げながら物体側に移動し、中間状態から望遠端まで、第２レンズ群Ｇ2との間隔を広げ、第４レンズ群Ｇ4との間隔を広げながら物体側に移動する。第３レンズ群Ｇ3は、望遠端では、広角端の位置より物体側に位置する。
【０１５８】
第４レンズ群Ｇ4は、広角端から望遠端まで、第３レンズ群Ｇ3との間隔を広げながら若干像面側に移動する。第４レンズ群Ｇ4は、望遠端では、広角端の位置より像面側に位置する。
【０１５９】
図４は、実施例４のレンズ系の断面図である。
【０１６０】
実施例４のレンズ系は、図に示すように物体側から像側に順に、負屈折力の第１レンズ群Ｇ1と、正屈折力の第２レンズ群Ｇ2と、負屈折力の第３レンズ群Ｇ3と、正屈折力の第４レンズ群Ｇ4と、を備える。
【０１６１】
第１レンズ群Ｇ1は、物体側から像側に順に、両凹負レンズＬ11と、両平面プリズムレンズＬ12と、物体側に凸面を向けた正メニスカスレンズＬ13と、を有する。
【０１６２】
第２レンズ群Ｇ2は、物体側から像側に順に、両凸正レンズＬ21と、両凸正レンズＬ22と両凹負レンズＬ23の接合レンズＳＵ21と、両凸正レンズＬ24と、を有する。
【０１６３】
明るさ絞りＳは、第２レンズ群Ｇ2の物体側に配置される。
【０１６４】
第３レンズ群Ｇ3は、１枚の物体側に凸面を向けた負メニスカスレンズＬ31を有する。
【０１６５】
第４レンズ群Ｇ4は、１枚の像側に凸面を向けた正メニスカスレンズＬ41を有する。
【０１６６】
非球面は、第１レンズ群Ｇ1の両凹負レンズＬ11の両面Ｒ1，Ｒ2、第２レンズ群Ｇ2の物体側の両凸正レンズＬ21の両面Ｒ8，Ｒ9、第４レンズ群Ｇ4の正メニスカスレンズＬ41の像面側Ｒ18の面の５面に用いている。
【０１６７】
レンズ系が広角端から望遠端へ変倍する際の移動状態を以下に示す。
【０１６８】
第１レンズ群Ｇ1は、広角端から望遠端まで、固定である。
【０１６９】
第２レンズ群Ｇ2は、広角端から中間状態まで、第１レンズ群Ｇ1との間隔を狭め、第３レンズ群Ｇ3との間隔を狭めながら物体側に移動し、中間状態から望遠端まで、第１レンズ群Ｇ1との間隔を狭め、第３レンズ群Ｇ3との間隔を広げながら物体側に移動する。第２レンズ群Ｇ2は、望遠端では、広角端の位置より物体側に位置する。
【０１７０】
明るさ絞りＳは、広角端から望遠端まで、第２レンズ群Ｇ2と一体に物体側へ移動する。
【０１７１】
第３レンズ群Ｇ3は、広角端から中間状態まで、第２レンズ群Ｇ2との間隔を狭め、第４レンズ群Ｇ4との間隔を広げながら物体側に移動し、中間状態から望遠端まで、第２レンズ群Ｇ2との間隔を広げ、第４レンズ群Ｇ4との間隔を広げながら物体側に移動する。第３レンズ群Ｇ3は、望遠端では、広角端の位置より物体側に位置する。
【０１７２】
第４レンズ群Ｇ4は、広角端から望遠端まで、第３レンズ群Ｇ3との間隔を広げながら若干像面側に移動する。第４レンズ群Ｇ4は、望遠端では、広角端の位置より像面側に位置する。
【０１７３】
図５は、実施例５のレンズ系の断面図である。
【０１７４】
実施例５のレンズ系は、図に示すように物体側から像側に順に、負屈折力の第１レンズ群Ｇ1と、正屈折力の第２レンズ群Ｇ2と、負屈折力の第３レンズ群Ｇ3と、正屈折力の第４レンズ群Ｇ4と、を備える。
【０１７５】
第１レンズ群Ｇ1は、物体側から像側に順に、両凹負レンズＬ11と、両平面プリズムレンズＬ12と、像面側に凸面を向けた正メニスカスレンズＬ13と、を有する。
【０１７６】
第２レンズ群Ｇ2は、物体側から像側に順に、両凸正レンズＬ21と、両凸正レンズＬ22と両凹負レンズＬ23の接合レンズＳＵ21と、物体側に凸面を向けた正メニスカスレンズＬ24と、を有する。
【０１７７】
明るさ絞りＳは、第２レンズ群Ｇ2の物体側に配置される。
【０１７８】
第３レンズ群Ｇ3は、１枚の物体側に凸面を向けた負メニスカスレンズＬ31を有する。
【０１７９】
第４レンズ群Ｇ4は、１枚の両凸正レンズＬ41を有する。
【０１８０】
非球面は、第１レンズ群Ｇ1の両凹負レンズＬ11の両面Ｒ1，Ｒ2、第１レンズ群Ｇ1の正メニスカスレンズＬ13の両面Ｒ5，Ｒ6、第２レンズ群Ｇ2の両凸正レンズＬ21の両面Ｒ8，Ｒ9、第４レンズ群Ｇ4の両凸正レンズＬ41の物体側の面Ｒ17の７面に用いている。
【０１８１】
レンズ系が広角端から望遠端へ変倍する際の移動状態を以下に示す。
【０１８２】
第１レンズ群Ｇ1は、広角端から望遠端まで、固定である。
【０１８３】
第２レンズ群Ｇ2は、広角端から中間状態まで、第１レンズ群Ｇ1との間隔を狭め、第３レンズ群Ｇ3との間隔を狭めながら物体側に移動し、中間状態から望遠端まで、第１レンズ群Ｇ1との間隔を狭め、第３レンズ群Ｇ3との間隔を広げながら物体側に移動する。第２レンズ群Ｇ2は、望遠端では、広角端の位置より物体側に位置する。
【０１８４】
明るさ絞りＳは、広角端から望遠端まで、第２レンズ群Ｇ2と一体に物体側へ移動する。
【０１８５】
第３レンズ群Ｇ3は、広角端から中間状態まで、第２レンズ群Ｇ2との間隔を狭め、第４レンズ群Ｇ4との間隔を広げながら物体側に移動し、中間状態から望遠端まで、第２レンズ群Ｇ2との間隔を広げ、第４レンズ群Ｇ4との間隔を広げながら物体側に移動する。第３レンズ群Ｇ3は、望遠端では、広角端の位置より物体側に位置する。
【０１８６】
第４レンズ群Ｇ4は、広角端から望遠端まで、第３レンズ群Ｇ3との間隔を広げながら若干像面側に移動する。第４レンズ群Ｇ4は、望遠端では、広角端の位置より像面側に位置する。
【０１８７】
図６は、実施例６のレンズ系の断面図である。
【０１８８】
実施例６のレンズ系は、図に示すように物体側から像側に順に、負屈折力の第１レンズ群Ｇ1と、正屈折力の第２レンズ群Ｇ2と、負屈折力の第３レンズ群Ｇ3と、正屈折力の第４レンズ群Ｇ4と、を備える。
【０１８９】
第１レンズ群Ｇ1は、物体側から像側に順に、両凹負レンズＬ11と、両平面プリズムレンズＬ12と、像面側に凸面を向けた正メニスカスレンズＬ13と、を有する。
【０１９０】
第２レンズ群Ｇ2は、物体側から像側に順に、両凸正レンズＬ21と、両凸正レンズＬ22と両凹負レンズＬ23の接合レンズＳＵ21と、両凸正レンズＬ24と、を有する。
【０１９１】
明るさ絞りＳは、第２レンズ群Ｇ2の物体側に配置される。
【０１９２】
第３レンズ群Ｇ3は、１枚の物体側に凸面を向けた負メニスカスレンズＬ31を有する。
【０１９３】
第４レンズ群Ｇ4は、１枚の両凸正レンズＬ41を有する。
【０１９４】
非球面は、第１レンズ群Ｇ1の正メニスカスレンズＬ13の両面Ｒ5，Ｒ6、第２レンズ群Ｇ2の物体側の両凸正レンズＬ21の両面Ｒ8，Ｒ9、第４レンズ群Ｇ4の両凸正レンズＬ41の物体側の面Ｒ17の５面に用いている。
【０１９５】
レンズ系が広角端から望遠端へ変倍する際の移動状態を以下に示す。
【０１９６】
第１レンズ群Ｇ1は、広角端から望遠端まで、固定である。
【０１９７】
第２レンズ群Ｇ2は、広角端から中間状態まで、第１レンズ群Ｇ1との間隔を狭め、第３レンズ群Ｇ3との間隔を狭めながら物体側に移動し、中間状態から望遠端まで、第１レンズ群Ｇ1との間隔を狭め、第３レンズ群Ｇ3との間隔を広げながら物体側に移動する。第２レンズ群Ｇ2は、望遠端では、広角端の位置より物体側に位置する。
【０１９８】
明るさ絞りＳは、広角端から望遠端まで、第２レンズ群Ｇ2と一体に物体側へ移動する。
【０１９９】
第３レンズ群Ｇ3は、広角端から中間状態まで、第２レンズ群Ｇ2との間隔を狭め、第４レンズ群Ｇ4との間隔を広げながら物体側に移動し、中間状態から望遠端まで、第２レンズ群Ｇ2との間隔を広げ、第４レンズ群Ｇ4との間隔を狭めながら像面側に移動する。第３レンズ群Ｇ3は、望遠端では、広角端の位置より物体側に位置する。
【０２００】
第４レンズ群Ｇ4は、広角端から中間状態まで、第３レンズ群Ｇ3との間隔を広げながら像面側に移動し、中間状態から望遠端まで、第３レンズ群Ｇ3との間隔を狭めながら像面側に移動する。第４レンズ群Ｇ4は、望遠端では、広角端の位置より像面側に位置する。
【０２０１】
図７は、実施例７のレンズ系の断面図である。
【０２０２】
実施例７のレンズ系は、図に示すように物体側から像側に順に、負屈折力の第１レンズ群Ｇ1と、正屈折力の第２レンズ群Ｇ2と、負屈折力の第３レンズ群Ｇ3と、正屈折力の第４レンズ群Ｇ4と、を備える。
【０２０３】
第１レンズ群Ｇ1は、物体側から像側に順に、両凹負レンズＬ11と、両平面プリズムレンズＬ12と、両凸正レンズＬ13と、を有する。
【０２０４】
第２レンズ群Ｇ2は、物体側から像側に順に、両凸正レンズＬ21と、両凸正レンズＬ22と両凹負レンズＬ23の接合レンズＳＵ21と、両凸正レンズＬ24と、を有する。
【０２０５】
明るさ絞りＳは、第２レンズ群Ｇ2の両凸正レンズＬ21の像面側で接合レンズＳＵ21の物体側に配置される。
【０２０６】
第３レンズ群Ｇ3は、１枚の物体側に凸面を向けた負メニスカスレンズＬ31を有する。
【０２０７】
第４レンズ群Ｇ4は、１枚の像面側に凸面を向けた正メニスカスレンズＬ41を有する。
【０２０８】
非球面は、第１レンズ群Ｇ1の両凹負レンズＬ11の両面Ｒ1，Ｒ2、第１レンズ群Ｇ1の両凸正レンズＬ13の像面側の面Ｒ6、第２レンズ群Ｇ2の物体側の両凸正レンズＬ21の両面Ｒ8，Ｒ9、第３レンズ群Ｇ3の負メニスカスレンズＬ31の像面側の面Ｒ16、第４レンズ群Ｇ4の正メニスカスレンズＬ41の像面側の面Ｒ18の７面に用いている。
【０２０９】
レンズ系が広角端から望遠端へ変倍する際の移動状態を以下に示す。
【０２１０】
第１レンズ群Ｇ1は、広角端から望遠端まで、固定である。
【０２１１】
第２レンズ群Ｇ2は、広角端から中間状態まで、第１レンズ群Ｇ1との間隔を狭め、第３レンズ群Ｇ3との間隔を狭めながら物体側に移動し、中間状態から望遠端まで、第１レンズ群Ｇ1との間隔を狭め、第３レンズ群Ｇ3との間隔を広げながら物体側に移動する。第２レンズ群Ｇ2は、望遠端では、広角端の位置より物体側に位置する。
【０２１２】
明るさ絞りＳは、広角端から望遠端まで、第２レンズ群Ｇ2と一体に物体側へ移動する。
【０２１３】
第３レンズ群Ｇ3は、広角端から中間状態まで、第２レンズ群Ｇ2との間隔を狭め、第４レンズ群Ｇ4との間隔を広げながら物体側に移動し、中間状態から望遠端まで、第２レンズ群Ｇ2との間隔を広げ、第４レンズ群Ｇ4との間隔を広げながら物体側に移動する。第３レンズ群Ｇ3は、望遠端では、広角端の位置より物体側に位置する。
【０２１４】
第４レンズ群Ｇ4は、広角端から望遠端まで、第３レンズ群Ｇ3との間隔を広げながら若干像面側に移動する。第４レンズ群Ｇ4は、望遠端では、広角端の位置より像面側に位置する。
【０２１５】
図８は、実施例８のレンズ系の断面図である。
【０２１６】
実施例８のレンズ系は、図に示すように物体側から像側に順に、負屈折力の第１レンズ群Ｇ1と、正屈折力の第２レンズ群Ｇ2と、負屈折力の第３レンズ群Ｇ3と、正屈折力の第４レンズ群Ｇ4と、を備える。
【０２１７】
第１レンズ群Ｇ1は、物体側から像側に順に、両凹負レンズＬ11と、両平面プリズムレンズＬ12と像面側に凸面を向けた平凸正レンズＬ13の接合レンズＳＵ11と、を有する。
【０２１８】
第２レンズ群Ｇ2は、物体側から像側に順に、両凸正レンズＬ21と、物体側に凸面を向けた正メニスカスレンズＬ22と物体側に凸面を向けた負メニスカスレンズＬ23の接合レンズＳＵ21と、両凸正レンズＬ24と、を有する。
【０２１９】
明るさ絞りＳは、第２レンズ群Ｇ2の物体側に配置される。
【０２２０】
第３レンズ群Ｇ3は、１枚の物体側に凸面を向けた負メニスカスレンズＬ31を有する。
【０２２１】
第４レンズ群Ｇ4は、１枚の両凸正レンズＬ41を有する。
【０２２２】
非球面は、第１レンズ群Ｇ1の両凹負レンズＬ11の両面Ｒ1，Ｒ2、第１レンズ群Ｇ1の接合レンズＳＵ11の最も像側の面Ｒ6、第２レンズ群Ｇ2の物体側の両凸正レンズＬ21の両面Ｒ7，Ｒ8、第２レンズ群Ｇ2の像面側の両凸正レンズＬ24の両面Ｒ12，Ｒ13、第３レンズ群Ｇ3の負メニスカスレンズＬ31の像面側の面Ｒ15、第４レンズ群Ｇ4の両凸正レンズＬ41の像面側の面Ｒ17の９面に用いている。
【０２２３】
レンズ系が広角端から望遠端へ変倍する際の移動状態を以下に示す。
【０２２４】
第１レンズ群Ｇ1は、広角端から望遠端まで、固定である。
【０２２５】
第２レンズ群Ｇ2は、広角端から中間状態まで、第１レンズ群Ｇ1との間隔を狭め、第３レンズ群Ｇ3との間隔を狭めながら物体側に移動し、中間状態から望遠端まで、第１レンズ群Ｇ1との間隔を狭め、第３レンズ群Ｇ3との間隔を広げながら物体側に移動する。第２レンズ群Ｇ2は、望遠端では、広角端の位置より物体側に位置する。
【０２２６】
明るさ絞りＳは、広角端から望遠端まで、第２レンズ群Ｇ2と一体に物体側へ移動する。
【０２２７】
第３レンズ群Ｇ3は、広角端から中間状態まで、第２レンズ群Ｇ2との間隔を狭め、第４レンズ群Ｇ4との間隔を広げながら物体側に移動し、中間状態から望遠端まで、第２レンズ群Ｇ2との間隔を広げ、第４レンズ群Ｇ4との間隔を狭めながら像面側に移動する。第３レンズ群Ｇ3は、望遠端では、広角端の位置より物体側に位置する。
【０２２８】
第４レンズ群Ｇ4は、広角端から中間状態まで、第３レンズ群Ｇ3との間隔を広げながら像面側に移動し、中間状態から望遠端まで、第３レンズ群Ｇ3との間隔を狭めながら像面側に移動する。第４レンズ群Ｇ4は、望遠端では、広角端の位置より像面側に位置する。
【０２２９】
図９は、実施例９のレンズ系の断面図である。
【０２３０】
実施例９のレンズ系は、図に示すように物体側から像側に順に、負屈折力の第１レンズ群Ｇ1と、正屈折力の第２レンズ群Ｇ2と、負屈折力の第３レンズ群Ｇ3と、正屈折力の第４レンズ群Ｇ4と、を備える。
【０２３１】
第１レンズ群Ｇ1は、物体側から像側に順に、両凹負レンズＬ11と、両平面プリズムレンズＬ12と、物体側に凸面を向けた正メニスカスレンズＬ13と、を有する。
【０２３２】
第２レンズ群Ｇ2は、物体側から像側に順に、両凸正レンズＬ21と、両凸正レンズＬ22と両凹負レンズＬ23の接合レンズＳＵ21と、両凸正レンズＬ24と、を有する。
【０２３３】
明るさ絞りＳは、第２レンズ群Ｇ2の物体側に配置される。
【０２３４】
第３レンズ群Ｇ3は、１枚の物体側に凸面を向けた負メニスカスレンズＬ31を有する。
【０２３５】
第４レンズ群Ｇ4は、１枚の両凸正レンズＬ41を有する。
【０２３６】
非球面は、第１レンズ群Ｇ1の両凹負レンズＬ11の両面Ｒ1，Ｒ2、第２レンズ群Ｇ2の物体側の両凸正レンズＬ21の両面Ｒ8，Ｒ9、第３レンズ群Ｇ3の負メニスカスレンズＬ31の両面Ｒ15，Ｒ16、第４レンズ群Ｇ4の両凸正レンズＬ41の像面側の面Ｒ18の７面に用いている。
【０２３７】
レンズ系が広角端から望遠端へ変倍する際の移動状態を以下に示す。
【０２３８】
第１レンズ群Ｇ1は、広角端から望遠端まで、固定である。
【０２３９】
第２レンズ群Ｇ2は、広角端から中間状態まで、第１レンズ群Ｇ1との間隔を狭め、第３レンズ群Ｇ3との間隔を狭めながら物体側に移動し、中間状態から望遠端まで、第１レンズ群Ｇ1との間隔を狭め、第３レンズ群Ｇ3との間隔を広げながら物体側に移動する。第２レンズ群Ｇ2は、望遠端では、広角端の位置より物体側に位置する。
【０２４０】
明るさ絞りＳは、広角端から望遠端まで、第２レンズ群Ｇ2と一体に物体側へ移動する。
【０２４１】
第３レンズ群Ｇ3は、広角端から中間状態まで、第２レンズ群Ｇ2との間隔を狭め、第４レンズ群Ｇ4との間隔を広げながら物体側に移動し、中間状態から望遠端まで、第２レンズ群Ｇ2との間隔を広げ、第４レンズ群Ｇ4との間隔を広げながら物体側に移動する。第３レンズ群Ｇ3は、望遠端では、広角端の位置より物体側に位置する。
【０２４２】
第４レンズ群Ｇ4は、広角端から望遠端まで、第３レンズ群Ｇ3との間隔を広げながら若干像面側に移動する。第４レンズ群Ｇ4は、望遠端では、広角端の位置より像面側に位置する。
【０２４３】
図１０は、実施例１０のレンズ系の断面図である。
【０２４４】
実施例１０のレンズ系は、図に示すように物体側から像側に順に、負屈折力の第１レンズ群Ｇ1と、正屈折力の第２レンズ群Ｇ2と、負屈折力の第３レンズ群Ｇ3と、正屈折力の第４レンズ群Ｇ4と、を備える。
【０２４５】
第１レンズ群Ｇ1は、物体側から像側に順に、両凹負レンズＬ11と、両平面プリズムレンズＬ12と、像面側に凸面を向けた正メニスカスレンズＬ13と、を有する。
【０２４６】
第２レンズ群Ｇ2は、物体側から像側に順に、両凸正レンズＬ21と、両凸正レンズＬ22と両凹負レンズＬ23の接合レンズＳＵ21と、両凸正レンズＬ24と、を有する。
【０２４７】
明るさ絞りＳは、第２レンズ群Ｇ2の物体側に配置される。
【０２４８】
第３レンズ群Ｇ3は、１枚の物体側に凸面を向けた負メニスカスレンズＬ31を有する。
【０２４９】
第４レンズ群Ｇ4は、１枚の両凸正レンズＬ41を有する。
【０２５０】
非球面は、第１レンズ群Ｇ1の両凹負レンズＬ11の両面Ｒ1，Ｒ2、第１レンズ群Ｇ1の正メニスカスレンズＬ13の像面側の面Ｒ6、第２レンズ群Ｇ2の物体側の両凸正レンズＬ21の両面Ｒ8，Ｒ9、第３レンズ群Ｇ3の負メニスカスレンズＬ31の両面Ｒ15，Ｒ16、第４レンズ群Ｇ4の両凸正レンズＬ41の像面側の面Ｒ18の８面に用いている。
【０２５１】
レンズ系が広角端から望遠端へ変倍する際の移動状態を以下に示す。
【０２５２】
第１レンズ群Ｇ1は、広角端から望遠端まで、固定である。
【０２５３】
第２レンズ群Ｇ2は、広角端から中間状態まで、第１レンズ群Ｇ1との間隔を狭め、第３レンズ群Ｇ3との間隔を狭めながら物体側に移動し、中間状態から望遠端まで、第１レンズ群Ｇ1との間隔を狭め、第３レンズ群Ｇ3との間隔を広げながら物体側に移動する。第２レンズ群Ｇ2は、望遠端では、広角端の位置より物体側に位置する。
【０２５４】
明るさ絞りＳは、広角端から望遠端まで、第２レンズ群Ｇ2と一体に物体側へ移動する。
【０２５５】
第３レンズ群Ｇ3は、広角端から中間状態まで、第２レンズ群Ｇ2との間隔を狭め、第４レンズ群Ｇ4との間隔を広げながら物体側に移動し、中間状態から望遠端まで、第２レンズ群Ｇ2との間隔を広げ、第４レンズ群Ｇ4との間隔を広げながら物体側に移動する。第３レンズ群Ｇ3は、望遠端では、広角端の位置より物体側に位置する。
【０２５６】
第４レンズ群Ｇ4は、広角端から望遠端まで、第３レンズ群Ｇ3との間隔を広げながら若干像面側に移動する。第４レンズ群Ｇ4は、望遠端では、広角端の位置より像面側に位置する。
【０２５７】
図１１は、実施例１１のレンズ系の断面図である。
【０２５８】
実施例１１のレンズ系は、図に示すように物体側から像側に順に、負屈折力の第１レンズ群Ｇ1と、正屈折力の第２レンズ群Ｇ2と、負屈折力の第３レンズ群Ｇ3と、正屈折力の第４レンズ群Ｇ4と、を備える。
【０２５９】
第１レンズ群Ｇ1は、物体側から像側に順に、両凹負レンズＬ11と、両平面プリズムレンズＬ12と、物体側に凸面を向けた正メニスカスレンズＬ13と、を有する。
【０２６０】
第２レンズ群Ｇ2は、物体側から像側に順に、両凸正レンズＬ21と、両凸正レンズＬ22と両凹負レンズＬ23の接合レンズＳＵ21と、両凸正レンズＬ24と、を有する。
【０２６１】
明るさ絞りＳは、第２レンズ群Ｇ2の物体側に配置される。
【０２６２】
第３レンズ群Ｇ3は、１枚の物体側に凸面を向けた負メニスカスレンズＬ31を有する。
【０２６３】
第４レンズ群Ｇ4は、１枚の両凸正レンズＬ41を有する。
【０２６４】
非球面は、第１レンズ群Ｇ1の両凹負レンズＬ11の両面Ｒ1，Ｒ2、第２レンズ群Ｇ2の物体側の両凸正レンズＬ21の両面Ｒ8，Ｒ9、第４レンズ群Ｇ4の両凸正レンズＬ41の像面側の面Ｒ18の５面に用いている。
【０２６５】
レンズ系が広角端から望遠端へ変倍する際の移動状態を以下に示す。
【０２６６】
第１レンズ群Ｇ1は、広角端から望遠端まで、固定である。
【０２６７】
第２レンズ群Ｇ2は、広角端から望遠端まで、第１レンズ群Ｇ1との間隔を狭め、第３レンズ群Ｇ3との間隔を広げながら物体側に移動する。第２レンズ群Ｇ2は、望遠端では、広角端の位置より物体側に位置する。
【０２６８】
明るさ絞りＳは、広角端から望遠端まで、第２レンズ群Ｇ2と一体に物体側へ移動する。
【０２６９】
第３レンズ群Ｇ3は、広角端から望遠端まで、第２レンズ群Ｇ2との間隔を広げ、第４レンズ群Ｇ4との間隔を広げながら物体側に移動する。第３レンズ群Ｇ3は、望遠端では、広角端の位置より物体側に位置する。
【０２７０】
第４レンズ群Ｇ4は、広角端から望遠端まで、第３レンズ群Ｇ3との間隔を広げながら若干像面側に移動する。第４レンズ群Ｇ4は、望遠端では、広角端の位置より像面側に位置する。
【０２７１】
図１２は、実施例１２のレンズ系の断面図である。
【０２７２】
実施例１２のレンズ系は、図に示すように物体側から像側に順に、負屈折力の第１レンズ群Ｇ1と、正屈折力の第２レンズ群Ｇ2と、負屈折力の第３レンズ群Ｇ3と、正屈折力の第４レンズ群Ｇ4と、を備える。
【０２７３】
第１レンズ群Ｇ1は、物体側から像側に順に、両凹負レンズＬ11と、両平面プリズムレンズＬ12と、物体側に凸面を向けた正メニスカスレンズＬ13と、を有する。
【０２７４】
第２レンズ群Ｇ2は、物体側から像側に順に、両凸正レンズＬ21と、両凸正レンズＬ22と両凹負レンズＬ23の接合レンズＳＵ21と、両凸正レンズＬ24と、を有する。
【０２７５】
明るさ絞りＳは、第２レンズ群Ｇ2の物体側に配置される。
【０２７６】
第３レンズ群Ｇ3は、１枚の物体側に凸面を向けた負メニスカスレンズＬ31を有する。
【０２７７】
第４レンズ群Ｇ4は、１枚の像面側に凸面を向けた正メニスカスレンズＬ41を有する。
【０２７８】
非球面は、第１レンズ群Ｇ1の両凹負レンズＬ11の両面Ｒ1，Ｒ2、第２レンズ群Ｇ2の物体側の両凸正レンズＬ21の両面Ｒ8，Ｒ9、第４レンズ群Ｇ4の正メニスカスレンズＬ41の像面側の面Ｒ18の５面に用いている。
【０２７９】
レンズ系が広角端から望遠端へ変倍する際の移動状態を以下に示す。
【０２８０】
第１レンズ群Ｇ1は、広角端から望遠端まで、固定である。
【０２８１】
第２レンズ群Ｇ2は、広角端から中間状態まで、第１レンズ群Ｇ1との間隔を狭め、第３レンズ群Ｇ3との間隔を狭めながら物体側に移動し、中間状態から望遠端まで、第１レンズ群Ｇ1との間隔を狭め、第３レンズ群Ｇ3との間隔を広げながら物体側に移動する。第２レンズ群Ｇ2は、望遠端では、広角端の位置より物体側に位置する。
【０２８２】
明るさ絞りＳは、広角端から望遠端まで、第２レンズ群Ｇ2と一体に物体側へ移動する。
【０２８３】
第３レンズ群Ｇ3は、広角端から中間状態まで、第２レンズ群Ｇ2との間隔を狭め、第４レンズ群Ｇ4との間隔を広げながら物体側に移動し、中間状態から望遠端まで、第２レンズ群Ｇ2との間隔を広げ、第４レンズ群Ｇ4との間隔を広げながら物体側に移動する。第３レンズ群Ｇ3は、望遠端では、広角端の位置より物体側に位置する。
【０２８４】
第４レンズ群Ｇ4は、広角端から望遠端まで、第３レンズ群Ｇ3との間隔を広げながら若干像面側に移動する。第４レンズ群Ｇ4は、望遠端では、広角端の位置より像面側に位置する。
【０２８５】
図１３は、実施例１３のレンズ系の断面図である。
【０２８６】
実施例１３のレンズ系は、図に示すように物体側から像側に順に、負屈折力の第１レンズ群Ｇ1と、正屈折力の第２レンズ群Ｇ2と、負屈折力の第３レンズ群Ｇ3と、正屈折力の第４レンズ群Ｇ4と、を備える。
【０２８７】
第１レンズ群Ｇ1は、物体側から像側に順に、両凹負レンズＬ11と、両平面プリズムレンズＬ12と、物体側に凸面を向けた正メニスカスレンズＬ13と、を有する。
【０２８８】
第２レンズ群Ｇ2は、物体側から像側に順に、両凸正レンズＬ21と、物体側に凸面を向けた正メニスカスレンズＬ22と物体側に凸面を向けた負メニスカスレンズＬ23の接合レンズＳＵ21と、を有する。
【０２８９】
明るさ絞りＳは、第２レンズ群Ｇ2の物体側に配置される。
【０２９０】
第３レンズ群Ｇ3は、１枚の両凹負レンズＬ31を有する。
【０２９１】
第４レンズ群Ｇ4は、１枚の両凸正レンズＬ41を有する。
【０２９２】
非球面は、第１レンズ群Ｇ1の両凹負レンズＬ11の両面Ｒ1，Ｒ2、第２レンズ群Ｇ2の両凸正レンズＬ21の両面Ｒ8，Ｒ9、第４レンズ群Ｇ4の両凸正レンズＬ41の像面側の面Ｒ16の５面に用いている。
【０２９３】
レンズ系が広角端から望遠端へ変倍する際の移動状態を以下に示す。
【０２９４】
第１レンズ群Ｇ1は、広角端から望遠端まで、固定である。
【０２９５】
第２レンズ群Ｇ2は、広角端から中間状態まで、第１レンズ群Ｇ1との間隔を狭め、第３レンズ群Ｇ3との間隔を狭めながら物体側に移動し、中間状態から望遠端まで、第１レンズ群Ｇ1との間隔を狭め、第３レンズ群Ｇ3との間隔を広げながら物体側に移動する。第２レンズ群Ｇ2は、望遠端では、広角端の位置より物体側に位置する。
【０２９６】
明るさ絞りＳは、広角端から望遠端まで、第２レンズ群Ｇ2と一体に物体側へ移動する。
【０２９７】
第３レンズ群Ｇ3は、広角端から中間状態まで、第２レンズ群Ｇ2との間隔を狭め、第４レンズ群Ｇ4との間隔を広げながら物体側に移動し、中間状態から望遠端まで、第２レンズ群Ｇ2との間隔を広げ、第４レンズ群Ｇ4との間隔を狭めながら像面側に移動する。第３レンズ群Ｇ3は、望遠端では、広角端の位置より物体側に位置する。
【０２９８】
第４レンズ群Ｇ4は、広角端から望遠端まで、固定である。
【０２９９】
図１４は、実施例１４のレンズ系の断面図である。
【０３００】
実施例１４のレンズ系は、図に示すように物体側から像側に順に、負屈折力の第１レンズ群Ｇ1と、正屈折力の第２レンズ群Ｇ2と、負屈折力の第３レンズ群Ｇ3と、正屈折力の第４レンズ群Ｇ4と、を備える。
【０３０１】
第１レンズ群Ｇ1は、物体側から像側に順に、両凹負レンズＬ11と、両平面プリズムレンズＬ12と、物体側に凸面を向けた正メニスカスレンズＬ13と、を有する。
【０３０２】
第２レンズ群Ｇ2は、物体側から像側に順に、両凸正レンズＬ21と両凹負レンズＬ22の接合レンズＳＵ21と、物体側に凸面を向けた正メニスカスレンズＬ23と、を有する。
【０３０３】
明るさ絞りＳは、第２レンズ群Ｇ2の物体側に配置される。
【０３０４】
第３レンズ群Ｇ3は、１枚の両凹負レンズＬ31を有する。
【０３０５】
第４レンズ群Ｇ4は、１枚の両凸正レンズＬ41を有する。
【０３０６】
非球面は、第１レンズ群Ｇ1の両凹負レンズＬ11の両面Ｒ1，Ｒ2、第２レンズ群Ｇ2の接合レンズＳＵ21の最も物体側の面Ｒ8、第２レンズ群Ｇ2の正メニスカスレンズＬ23の像面側の面Ｒ12、第４レンズ群Ｇ4の両凸正レンズＬ41の像面側の面Ｒ16の５面に用いている。
【０３０７】
レンズ系が広角端から望遠端へ変倍する際の移動状態を以下に示す。
【０３０８】
第１レンズ群Ｇ1は、広角端から望遠端まで、固定である。
【０３０９】
第２レンズ群Ｇ2は、広角端から中間状態まで、第１レンズ群Ｇ1との間隔を狭め、第３レンズ群Ｇ3との間隔を狭めながら物体側に移動し、中間状態から望遠端まで、第１レンズ群Ｇ1との間隔を狭め、第３レンズ群Ｇ3との間隔を広げながら物体側に移動する。第２レンズ群Ｇ2は、望遠端では、広角端の位置より物体側に位置する。
【０３１０】
明るさ絞りＳは、広角端から望遠端まで、第２レンズ群Ｇ2と一体に物体側へ移動する。
【０３１１】
第３レンズ群Ｇ3は、広角端から中間状態まで、第２レンズ群Ｇ2との間隔を狭め、第４レンズ群Ｇ4との間隔を広げながら物体側に移動し、中間状態から望遠端まで、第２レンズ群Ｇ2との間隔を広げ、第４レンズ群Ｇ4との間隔を広げながら物体側に移動する。第３レンズ群Ｇ3は、望遠端では、広角端の位置より物体側に位置する。
【０３１２】
第４レンズ群Ｇ4は、広角端から望遠端まで、第３レンズ群Ｇ3との間隔を広げながら若干像面側に移動する。第４レンズ群Ｇ4は、望遠端では、広角端の位置より像面側に位置する。
【０３１３】
以下に上記実施例１〜実施例１４の各種数値データ（面データ、各種データ、フォーカシングデータ、及び各群焦点距離）を示す。
【０３１４】
面データには、面番号毎に各レンズ面（光学面）の曲率半径Ｒ、面間隔Ｄ、各レンズ（光学媒質）のｄ線（５８７．６ｎｍ）に対する屈折率ｎd、各レンズ（光学媒質）のｄ線のアッベ数νdが示されている。曲率半径Ｒ、面間隔Ｄの単位はいずれもミリメートル（ｍｍ）である。面データ中、曲率半径に記載する“∞”は、無限大であることを示している。
【０３１５】
ズームデータには、広角端、中間状態、及び望遠端におけるそれぞれの焦点距離、Ｆナンバー（ＦＮＯ）、画角２ω（°）、可変する面間隔Ｄ、バックフォーカスｆｂ（in air）、及び全長（in air）が示されている。焦点距離、像高、面間隔、バックフォーカス（in air）、及び全長（in air）、の単位はミリメートル（ｍｍ）である。
【０３１６】
各群焦点距離データには、各レンズ群における焦点距離ｆ１〜ｆ４が示されている。単位はいずれもミリメートル（ｍｍ）である。
【０３１７】
なお、非球面形状は、ｘを光の進行方向を正とした光軸とし、ｙを光軸と直交する方向にとると、下記の式にて表される。
【０３１８】
ｘ＝（ｙ2／Ｒ）／［１＋｛１−（Ｋ＋１）（ｙ／Ｒ）2｝1/2］
＋Ａ4ｙ4＋Ａ6ｙ6＋Ａ8ｙ8＋Ａ10ｙ10
ただし、Ｒは近軸曲率半径、Ｋは円錐係数、Ａ4、Ａ6、Ａ8、Ａ10はそれぞれ４次、６次、８次、１０次の非球面係数である。
【０３１９】
数値実施例１
面データ
面番号             Ｒ          Ｄ        ｎd      νd
1(非球面)       -19.996      0.88     1.69350    53.21
2(非球面)         7.242      2.04
3                 ∞         8.80     1.83481    42.71
4                 ∞         0.83
5                30.343      1.88     1.84666    23.78
6               314.221      D6(可動)
7(絞り)           ∞         0.30
8(非球面)         8.846      3.01     1.49700    81.61
9(非球面)       -19.703      0.20
10                12.828      2.12     1.51633    64.14
11               -40.316      1.84     1.88300    40.76
12                 7.472      0.60
13                10.995      2.64     1.49700    81.61
14               -13.641      D14(可動)
15(非球面)        32.583      0.80     1.52542    55.78
16(非球面)         7.000      D16(可動)
17               177.038      2.31     1.52542    55.78
18(非球面)        -5.800      D18(可動)
19                 ∞         0.30     1.51633    64.14
20                 ∞         0.50
21                 ∞         0.50     1.51633    64.14
22                 ∞         0.37
像面               ∞
非球面係数
第１面
k=0.000
A4=-7.76207e-05
A6=1.07789e-06
第２面
k=0.000
A4=-6.11238e-04
A6=8.19472e-07
A8=-9.34220e-08
第８面
k=0.000
A4=-1.32252e-04
A6=-1.05120e-06 
第９面
k=0.000
A4=2.00471e-04
A6=-1.41408e-06 
A8=1.61251e-08
第１５面
k=0.000
A4=3.40800e-04
A6=-1.74875e-05 
A8=1.19550e-06
第１６面
k=0.000
A4=3.66164e-04
A6=-2.04341e-05 
A8=1.51914e-06
第１８面
k=-0.643
A4=3.79772e-03
A6=-1.76528e-04 
A8=5.12058e-06
A10=-6.43661e-08
ズームデータ
ズーム比           3.90
広角端    中間      望遠端
焦点距離           5.10     10.09     19.89
ＦＮＯ．           2.06      3.33      4.94
画角２ω          81.00     39.54     20.52
像高               3.78      3.78      3.78
D6                18.67     10.28      1.00 
D14                4.72      3.01      5.33 
D16                3.02     13.63     20.96 
D18                1.17      0.66      0.30 
fb (in air)        2.58      2.04      1.70
全長 (in air)     57.24     57.20     57.23
各群焦点距離
１群       -12.32
２群        12.62
３群       -17.15
４群        10.74 
【０３２０】
数値実施例２
面データ
面番号             Ｒ          Ｄ        ｎd      νd
1(非球面)       -17.625      0.78     1.69350    53.21
2(非球面)         7.460      1.94
3                 ∞         7.60     1.83481    42.71
4                 ∞         0.20
5                28.545      1.17     1.84666    23.78
6               474.862      D6(可動)
7(絞り)           ∞         0.30
8(非球面)         7.067      2.90     1.49700    81.61
9(非球面)       -18.068      0.20
10                 8.771      2.15     1.51633    64.14
11               -49.927      0.50     1.88300    40.76
12                 5.618      0.53
13                 7.627      2.02     1.49700    81.61
14               -15.294      D14(可動)
15(非球面)        57.682      0.50     1.51633    64.14
16(非球面)         6.077      D16(可動)
17                83.078      1.65     1.69350    53.21
18(非球面)        -9.000      D18(可動)
19                 ∞         0.30     1.51633    64.14
20                 ∞         0.50
21                 ∞         0.50     1.51633    64.14
22                 ∞         0.37
像面               ∞
非球面係数
第１面
k=-0.698
A4=3.75220e-05
A6=-3.48678e-08 
第２面
k=0.000
A4=-4.94460e-04
A6=1.05376e-06
A8=-9.30702e-08
第８面
k=0.000
A4=-2.19984e-04
A6=-4.62620e-06
A8=7.25818e-08
第９面
k=0.000
A4=3.39244e-04
A6=-5.25684e-06 
A8=1.69285e-07
第１５面
k=0.000
A4=5.90894e-04
A6=-6.84616e-05 
A8=4.50186e-06
第１６面
k=0.000
A4=5.46986e-04
A6=-8.32011e-05 
A8=5.56455e-06
第１８面
k=0.000
A4=1.53440e-03
A6=-2.32155e-05 
ズームデータ
ズーム比           3.90
広角端    中間      望遠端
焦点距離           5.06     10.00     19.72
ＦＮＯ．           2.09      3.34      4.99
画角２ω          82.05     40.56     21.12
像高               3.78      3.78      3.78
D6                16.76      9.08      1.00 
D14                2.52      1.61      3.10 
D16                4.01     13.34     20.50 
D18                1.62      0.87      0.30 
fb (in air)        3.03      2.24      1.71
全長 (in air)     48.74     48.71     48.74
各群焦点距離
１群       -12.16
２群        10.28
３群       -13.20
４群        11.80 
【０３２１】
数値実施例３
面データ
面番号             Ｒ          Ｄ        ｎd      νd
1(非球面)       -45.306      0.73     1.74320    49.34
2(非球面)         6.787      2.14
3                 ∞         7.50     1.83481    42.71
4                 ∞         0.20
5                18.439      1.05     1.92286    18.90
6                31.388      D6 (可動)
7(絞り)           ∞         0.30
8(非球面)         7.369      2.31     1.49700    81.61
9(非球面)       -16.140      0.20
10                 7.301      2.12     1.51633    64.14
11               -29.616      0.65     1.88300    40.76
12                 5.949      0.76
13                18.829      1.44     1.49700    81.61
14               -11.625      D14 (可動)
15                49.027      0.50     1.51633    64.14
16                 7.280      D16 (可動)
17               -30.321      1.37     1.58313    59.38
18(非球面)        -6.500      D18 (可動)
19                 ∞         0.30     1.51633    64.14
20                 ∞         0.50
21                 ∞         0.50     1.51633    64.14
22                 ∞         0.37
像面               ∞
非球面係数
第１面
k=0.000
A4=-1.45485e-04
A6=2.21950e-06
第２面
k=0.000
A4=-5.53232e-04
A6=-2.78863e-06 
第８面
k=0.000
A4=-2.34578e-04
A6=-1.46857e-06
第９面
k=0.000
A4=2.72565e-04
A6=-1.13653e-06 
A8=3.48499e-08
第１８面
k=-4.760
A4=6.28530e-04
A6=-2.04495e-05 
ズームデータ
ズーム比           4.81
広角端    中間      望遠端
焦点距離           4.75     10.43     22.85
ＦＮＯ．           3.40      5.77      6.59
画角２ω          87.32     39.12     18.29
像高               3.86      3.86      3.86
D6                19.28     10.21      1.00 
D14                3.16      1.51      4.81 
D16                3.63     15.10     21.45 
D18                1.50      0.74      0.30 
fb (in air)        2.93      2.12      1.69
全長 (in air)     50.25     50.20     50.22
各群焦点距離
１群       -11.16
２群        10.56
３群       -16.63
４群        13.89 
【０３２２】
数値実施例４
面データ
面番号             Ｒ          Ｄ        ｎd      νd
1(非球面)       -44.931      0.74     1.74320    49.34
2(非球面)        6.789       2.21
3                 ∞         7.50     1.81600    46.62
4                 ∞         0.20
5                17.887      1.05     1.92286    18.90
6                29.293      D6 (可動)
7(絞り)           ∞         0.30
8(非球面)         7.585      2.50     1.49700    81.61
9(非球面)       -14.670      0.20
10                 7.733      2.26     1.51633    64.14
11               -20.202      0.77     1.88300    40.76
12                 6.320      0.82
13                27.689      1.44     1.49700    81.61
14               -10.508      D14 (可動)
15                46.223      0.50     1.51633    64.14
16                 7.607      D16 (可動)
17               -28.813      1.37     1.58313    59.38
18(非球面)        -6.500      D18 (可動)
19                 ∞         0.30     1.51633    64.14
20                 ∞         0.50
21                 ∞         0.50     1.51633    64.14
22                 ∞         0.37
像面               ∞
非球面係数
第１面
k=0.000
A4=-4.97443e-05
A6=7.97258e-07
第２面
k=0.000
A4=-4.55525e-04
A6=6.18182e-07
A8=-1.38791e-07 
第８面
k=0.000
A4=-2.29544e-04
A6=-2.42830e-06
A8=1.04452e-07
第９面
k=0.000
A4=2.77927e-04
A6=-2.48690e-06 
A8=1.46426e-07
第１８面
k=-4.937
A4=4.57419e-04
A6=-1.51141e-05 
ズームデータ
ズーム比           4.81
広角端    中間      望遠端
焦点距離           4.75     10.43     22.85
ＦＮＯ．           3.43      5.81      6.29
画角２ω          87.32     39.14     18.32
像高               3.86      3.86      3.86
D6                19.33     10.19      1.00 
D14                3.35      1.50      5.27 
D16                3.33     14.99     20.90 
D18                1.46      0.79      0.30 
fb (in air)        2.88      2.17      1.69
全長 (in air)     50.75     50.70     50.72
各群焦点距離
１群       -11.16
２群        10.84
３群       -17.71
４群        14.08 
【０３２３】
数値実施例５
面データ
面番号             Ｒ          Ｄ        ｎd      νd
1(非球面)       -25.863      0.77     1.74320    49.34
2(非球面)         7.502      1.95
3                 ∞         8.70     1.88300    40.76
4                 ∞         0.40
5(非球面)       -37.022      1.33     1.63493    23.90
6(非球面)       -15.121      D6 (可動)
7(絞り)           ∞         0.30
8(非球面)         6.996      2.73     1.49700    81.61
9(非球面)       -20.559      0.10
10                 8.318      2.40     1.52249    59.84
11               -22.894      0.50     1.88300    40.76
12                 5.652      0.70
13                10.058      1.36     1.49700    81.61
14               889.586      D14 (可動)
15                19.572      0.80     1.52542    55.78
16                 9.077      D16 (可動)
17(非球面)        17.377      2.09     1.52542    55.78
18               -15.000      D18 (可動)
19                 ∞         0.30     1.51633    64.14
20                 ∞         0.50
21                 ∞         0.50     1.51633    64.14
22                 ∞         0.37
像面               ∞
非球面係数
第１面
k=-1.042
A4=2.32644e-05
第２面
k=-1.020
A4=1.26305e-04
第５面
k=0.000
A4=1.48852e-04
第６面
k=0.000
A4=3.64996e-05
第８面
k=-1.444
A4=3.11175e-04
A6=1.58835e-07
第９面
k=0.000
A4=1.14588e-04
A6=-7.67453e-07 
第１７面
k=0.000
A4=-5.72695e-04
ズームデータ
ズーム比           4.80
広角端    中間      望遠端
焦点距離           5.10     11.10     24.47
ＦＮＯ．           3.40      5.79      6.52
画角２ω          82.54     37.19     17.14
像高               3.86      3.86      3.86
D6                22.17     11.44      1.00 
D14                3.74      2.02     10.02 
D16                3.05     17.22     20.93 
D18                3.25      1.52      0.30 
fb (in air)        4.66      2.89      1.69
全長 (in air)     57.75     57.70     57.77
各群焦点距離
１群       -13.15
２群        14.10
３群       -33.08
４群        15.67 
【０３２４】
数値実施例６
面データ
面番号             Ｒ          Ｄ        ｎd      νd
1               -89.068      0.50     1.83481    42.71
2                 6.884      2.12
3                 ∞         8.40     1.88300    40.76
4                 ∞         0.93
5(非球面)       -13.000      1.58     1.63493    23.90
6(非球面)        -9.356      D6 (可動)
7(絞り)           ∞         0.30
8(非球面)         7.673      2.74     1.49700    81.61
9(非球面)       -23.982      1.18
10                 7.940      2.76     1.51633    64.14
11               -12.243      0.50     1.88300    40.76
12                 6.256      0.66
13                12.546      1.26     1.49700    81.61
14               -126.439     D14 (可動)
15                18.587      0.80     1.52542    55.78
16                 9.591      D16 (可動)
17(非球面)        17.008      2.12     1.52542    55.78
18               -15.000      D18 (可動)
19                 ∞         0.30     1.51633    64.14
20                 ∞         0.50
21                 ∞         0.50     1.51633    64.14
22                 ∞         0.37
像面               ∞
非球面係数
第５面
k=0.000
A4=1.90046e-04
A6=2.49328e-07
A8=3.96175e-08
第６面
k=0.000
A4=4.07608e-05
第８面
k=-1.679
A4=3.47496e-04
第９面
k=0.000
A4=9.08894e-05
A6=-9.69760e-07 
第１７面
k=0.000
A4=-4.78166e-04
A6=-2.66875e-06
ズームデータ
ズーム比           4.79
広角端    中間      望遠端
焦点距離           5.10     11.19     24.44
ＦＮＯ．           3.45      5.93      6.55
画角２ω          82.67     37.07     17.16
像高               3.86      3.86      3.86
D6                22.69     11.74      1.00 
D14                3.35      2.02     14.77 
D16                3.08     17.25     16.51 
D18                3.36      1.47      0.30 
fb (in air)        4.78      2.86      1.69
全長 (in air)     59.75     59.71     59.81
各群焦点距離
１群       -12.78
２群        14.99
３群       -38.91
４群        15.52 
【０３２５】
数値実施例７
面データ
面番号             Ｒ          Ｄ        ｎd      νd
1(非球面)       -19.308      1.18     1.52542    55.78
2(非球面)         5.453      2.50
3                 ∞         7.35     1.88300    40.76
4                 ∞         0.30
5                82.699      1.16     1.63493    23.90
6(非球面)       -47.112      D6 (可動)
7(非球面)         8.239      2.58     1.49700    81.61
8(非球面)       -17.428      0.60
9(絞り)           ∞         0.60
10                11.058      2.18     1.51633    64.14
11               -15.594      0.50     1.88300    40.76
12                 8.034      0.72
13                22.855      1.73     1.51633    64.14
14                -9.643      D14(可動)
15                38.825      0.80     1.52542    55.78
16(非球面)         7.150      D16(可動)
17              -222.247      2.20     1.52542    55.78
18(非球面)        -5.764      D18(可動)
19                 ∞         0.30     1.51633    64.14
20                 ∞         0.50
21                 ∞         0.50     1.51633    64.14
22                 ∞         0.37
像面               ∞
非球面係数
第１面
k=-1.013
A4=-1.75619e-05
第２面
k=-1.414
A4=4.06305e-04
第６面
k=0.000
A4=-8.86089e-05
A6=-7.99007e-07
第７面
k=0.000
A4=-1.69854e-04
第８面
k=0.000
A4=2.58754e-04
第１６面
k=0.000
A4=-5.95838e-05
A6=-4.76001e-06
第１８面
k=0.000
A4=3.48983e-03
A6=-9.26949e-05
A8=1.96737e-06
ズームデータ
ズーム比           4.81
広角端    中間      望遠端
焦点距離           5.05     11.11     24.29
ＦＮＯ．           3.23      5.62      5.99
画角２ω          82.56     36.67     17.15
像高               3.84      3.84      3.84
D6                19.58     10.04      0.00 
D14                4.29      3.01      7.34 
D16                3.39     14.95     21.00 
D18                1.38      0.64      0.30 
fb (in air)        2.80      2.02      1.69
全長 (in air)     54.75     54.71     54.72
各群焦点距離
１群       -11.75
２群        12.09
３群       -16.83
４群        11.22 
【０３２６】
数値実施例８
面データ
面番号             Ｒ          Ｄ        ｎd      νd
1(非球面)       -34.174      0.90     1.74320    49.34
2(非球面)         6.795      1.97
3                 ∞         7.80     1.81600    46.62
4                 ∞         1.70     1.82115    24.06
5(非球面)       -31.194      D6 (可動)
6(絞り)           ∞         0.30
7(非球面)        10.590      3.31     1.49700    81.61
8(非球面)       -37.221      0.16
9                 7.383      3.53     1.49700    81.61
10               105.184      0.50     1.88300    40.76
11                 6.152      0.70
12(非球面)         8.690      2.11     1.49700    81.61
13(非球面)       -48.196      D13(可動)
14                19.470      0.80     1.52542    55.78
15(非球面)         7.419      D15(可動)
16                33.374      2.23     1.52542    55.78
17(非球面)        -8.231      D17(可動)
18                 ∞         0.30     1.51633    64.14
19                 ∞         0.50
20                 ∞         0.50     1.51633    64.14
21                 ∞         0.37
像面               ∞
非球面係数
第１面
k=14.955
A4=-1.38685e-04
A6=1.27819e-06
第２面
k=-1.186
A4=-9.77247e-05
A6=-1.24688e-06
第５面
k=0.000
A4=-5.98442e-05
A6=-2.54845e-07
第７面
k=0.000
A4=-1.16505e-05
A6=-5.60946e-07
第８面
k=0.000
A4=1.19972e-04
A6=-1.09938e-06
第１２面
k=0.000
A4=1.17284e-04
A6=8.05104e-06
第１３面
k=0.000
A4=2.71559e-04
A6=1.17538e-05
第１５面
k=0.000
A4=-3.73399e-05
A6=-3.03036e-06
第１７面
k=0.000
A4=1.88117e-03
A6=-3.70572e-05
A8=3.45642e-07
ズームデータ
ズーム比           4.90
広角端    中間      望遠端
焦点距離           5.10     11.30     25.01
ＦＮＯ．           2.04      3.52      5.03
画角２ω          74.49     33.16     15.29
像高               3.50      3.50      3.50
D6                22.10     11.63      1.00 
D13                4.36      2.51      9.11 
D15                3.05     16.30     20.93 
D17                1.83      0.89      0.30 
fb (in air)        3.25      2.27      1.67
全長 (in air)     58.75     58.71     58.71
各群焦点距離
１群       -12.40
２群        13.46
３群       -23.35
４群        12.80 
【０３２７】
数値実施例９
面データ
面番号             Ｒ          Ｄ        ｎd      νd
1(非球面)       -17.002      0.72     1.69350    53.21
2(非球面)         7.526      1.90
3                 ∞         7.45     1.83481    42.71
4                 ∞         0.20
5                28.193      1.16     1.84666    23.78
6               450.740      D6 (可動)
7(絞り)           ∞         0.50
8(非球面)         7.169      2.99     1.49700    81.61
9(非球面)       -17.576      0.20
10                 8.372      2.32     1.51633    64.14
11               -37.586      0.50     1.88300    40.76 
12                 5.499      0.54
13                 7.460      2.00     1.49700    81.61
14               -16.759      D14(可動)
15(非球面)        65.943      0.50     1.51633    64.14
16(非球面)         6.271      D16(可動)
17               468.642      1.59     1.74320    49.34
18(非球面)        -9.106      D18(可動)
19                 ∞         0.30     1.51633    64.14
20                 ∞         0.50
21                 ∞         0.50     1.51633    64.14
22                 ∞         0.37
像面               ∞
非球面係数
第１面
k=-7.695
A4=-1.23370e-04
A6=1.00693e-06
第２面
k=0.000
A4=-4.69528e-04
A6=3.77253e-09
A8=-5.69632e-08
第８面
k=0.000
A4=-2.08779e-04
A6=-3.93525e-06
A8=3.76506e-08
第９面
k=0.000
A4=3.12372e-04
A6=-4.43692e-06
A8=1.23525e-07
第１５面
k=0.000
A4=8.48272e-04
A6=-9.74055e-05
A8=5.16376e-06
第１６面
k=0.000
A4=8.53439e-04
A6=-1.14159e-04
A8=5.93228e-06
第１８面
k=0.000
A4=1.28808e-03
A6=-1.75311e-05
ズームデータ
ズーム比           4.84
広角端    中間      望遠端
焦点距離           5.08     10.00     19.50
ＦＮＯ．           2.07      3.29      4.88
画角２ω          82.62     40.65     21.37
像高               3.86      3.86      3.86
D6                16.74      9.09      1.20 
D14                2.39      1.51      3.08 
D16                3.82     13.08     19.99 
D18                1.81      1.08      0.50 
fb (in air)        3.23      2.46      1.90
全長 (in air)     48.75     48.71     48.74
各群焦点距離
１群       -12.10
２群        10.37
３群       -13.46
４群        12.04 
【０３２８】
数値実施例１０
面データ
面番号             Ｒ          Ｄ        ｎd      νd
1(非球面)       -20.848      1.15     1.52542    55.78
2(非球面)         5.696      2.50
3                 ∞         7.35     1.80610    40.92
4                 ∞         0.40
5               -52.943      1.15     1.63493    23.90
6(非球面)       -20.677      D6 (可動)
7(絞り)           ∞         0.30
8(非球面)         7.475      2.46     1.49700    81.61
9(非球面)       -15.504      0.53
10                 8.718      2.15     1.51633    64.14
11               -21.187      0.50     1.88300    40.76 
12                 6.839      0.95
13               144.444      1.31     1.51633    64.14
14               -11.007      D14 (可動)
15(非球面)        40.100      0.80     1.52542    55.78
16(非球面)         7.469      D16 (可動)
17               127.980      2.30     1.52542    55.78
18(非球面)        -5.899      D18
19                 ∞         0.30     1.51633    64.14
20                 ∞         0.50
21                 ∞         0.50     1.51633    64.14
22                 ∞         0.37
像面               ∞
非球面係数
第１面
k=-1.017
A4=-1.60827e-05
第２面
k=-1.579
A4=5.98410e-04
第６面
k=0.000
A4=-1.08812e-04
A6=-1.10248e-06
第８面
k=0.000
A4=-2.29430e-04
A6=-2.57629e-06
第９面
k=0.000
A4=2.84535e-04
A6=-3.03024e-06
A8=5.83059e-08
第１５面
k=0.000
A4=6.09419e-05
A6=-4.47367e-06
第１６面
k=0.000
A4=-1.32624e-05
A6=1.18867e-07
第１８面
k=0.000
A4=3.15519e-03
A6=-6.81782e-05
A8=1.33063e-06
ズームデータ
ズーム比           4.79
広角端    中間      望遠端
焦点距離           5.03     11.01     24.07
ＦＮＯ．           3.51      6.04      6.53
画角２ω          82.45     36.77     17.26
像高               3.84      3.84      3.84
D6                20.56     10.98      1.00 
D14                4.37      3.01      7.22
D16                3.04     14.72     21.02 
D18                1.51      0.76      0.30 
fb (in air)        2.93      2.14      1.69
全長 (in air)     54.75     54.71     54.78
各群焦点距離
１群       -12.27
２群        12.26
３群       -17.62
４群        10.80 
【０３２９】
数値実施例１１
面データ
面番号             Ｒ          Ｄ        ｎd      νd
1(非球面)       -16.351      0.54     1.74320    49.34
2(非球面)         5.696      1.61
3                 ∞         5.60     1.83481    42.71
4                 ∞         0.20
5                19.274      1.01     1.92286    18.90
6                51.502      D6 (可動)
7(絞り)           ∞         0.00
8(非球面)         6.500      1.84     1.49700    81.61
9(非球面)       -10.554      0.20
10                 7.875      1.69     1.51633    64.14
11               -11.979      1.61     1.88300    40.76 
12                 5.725      0.94
13                14.741      1.33     1.49700    81.61
14                -7.732      D14 (可動)
15                29.693      0.50     1.52542    55.78
16                 6.000      D16 (可動)
17                20.090      1.67     1.52542    55.78
18(非球面)       -12.056      D18（可動)
19                 ∞         0.30     1.51633    64.14
20                 ∞         0.50
21                 ∞         0.50     1.51633    64.14
22                 ∞         0.37
像面               ∞
非球面係数
第１面
k=0.000
A4=-5.57135e-06
A6=4.64714e-06
第２面
k=0.000
A4=-9.91604e-04
第８面
k=0.000
A4=-3.88353e-04
第９面
k=0.000
A4=5.55958e-04
第１８面
k=0.000
A4=1.38069e-03
A6=-3.17877e-05
ズームデータ
ズーム比           2.85
広角端    中間      望遠端
焦点距離           5.05      8.53     14.39
ＦＮＯ．           3.13      4.34      5.75
画角２ω          84.07     48.30     28.69
像高               3.86      3.86      3.86
D6                 9.43      4.93      0.40 
D14                2.53      2.77      5.71
D16                3.22      8.20     10.18 
D18                1.41      0.70      0.30 
fb (in air)        2.82      2.09      1.70
全長 (in air)     36.74     36.72     36.73
各群焦点距離
１群        -8.17
２群         8.81
３群       -14.42
４群        14.60 
【０３３０】
数値実施例１２
面データ
面番号             Ｒ          Ｄ        ｎd      νd
1(非球面)       -21.341      0.64     1.74320    49.34
2(非球面)         6.978      1.80
3                 ∞         6.60     1.83481    42.71
4                 ∞         0.62
5                19.841      1.02     1.92286    18.90
6                39.840      D6 (可動)
7(絞り)           ∞        -0.20
8(非球面)         6.787      1.97     1.49700    81.61
9(非球面)       -14.061      0.20
10                 6.704      1.94     1.51633    64.14
11               -18.562      1.33     1.88300    40.76 
12                 5.135      0.61
13                14.677      1.28     1.49700    81.61
14               -11.506      D14 (可動)
15                38.652      0.70     1.52542    55.78
16                 6.862      D16 (可動)
17              -295.798      1.85     1.52542    55.78
18(非球面)        -6.157      D18 (可動)
19                 ∞         0.30     1.51633    64.14
20                 ∞         0.50
21                 ∞         0.50     1.51633    64.14
22                 ∞         0.37
像面               ∞
非球面係数
第１面
k=0.000
A4=4.63920e-05
A6=1.20973e-06
第２面
k=0.000
A4=-4.10119e-04
A6=1.86490e-06
第８面
k=0.000
A4=-2.42036e-04
A6=-7.92356e-06
第９面
k=0.000
A4=3.42518e-04
A6=-9.21678e-06
A8=1.39485e-07
第１８面
k=-6.047
A4=-1.44839e-04
A6=-2.41408e-06
ズームデータ
ズーム比           3.85
広角端    中間      望遠端
焦点距離           4.96      9.81     19.10
ＦＮＯ．           2.86      4.49      6.58
画角２ω          85.05     42.04     21.82
像高               3.86      3.86      3.86
D6                14.31      7.40      0.70 
D14                2.73      2.11      6.01
D16                3.03     11.01     14.10 
D18                1.39      0.94      0.66 
fb (in air)        2.81      2.31      2.05
全長 (in air)     43.25     43.20     43.22
各群焦点距離
１群       -10.03
２群         9.81
３群       -16.00
４群        11.94 
【０３３１】
数値実施例１３
面データ
面番号             Ｒ          Ｄ        ｎd      νd
1(非球面)       -16.019      0.50     1.74320    49.34
2(非球面)         7.617      1.24
3                 ∞         5.60     1.83481    42.71
4                 ∞         0.20
5                20.583      0.98     1.92286    18.90
6                63.940      D6 (可動)
7(絞り)           ∞         0.00
8(非球面)         5.791      1.82     1.49700    81.61
9(非球面)       -11.879      0.20
10                 4.959      1.27     1.51633    64.14
11                 7.271      0.53     1.80518    25.42 
12                 3.566      0.88
13                 ∞         0.80
14                 ∞         D14 (可動)
15              -582.611      0.50     1.52542    55.78
16                17.244      D16 (可動)
17                19.018      1.96     1.52542    55.78
18(非球面)       -10.440      D18 (可動)
19                 ∞         0.30     1.51633    64.14
20                 ∞         0.50
21                 ∞         0.50     1.51633    64.14
22                 ∞         0.37
像面               ∞
非球面係数
第１面
k=0.000
A4=2.27861e-04
A6=3.82712e-06
第２面
k=0.000
A4=-1.85485e-04
A6=7.58811e-06
A8=4.30211e-07
第８面
k=0.000
A4=-6.69820e-04
A6=-2.12856e-06
第９面
k=0.000
A4=4.54619e-04
A6=5.22805e-06
第１８面
k=0.000
A4=8.00241e-04
A6=-7.43344e-06
ズームデータ
ズーム比           2.85
広角端    中間      望遠端
焦点距離           5.60      9.45     15.96
ＦＮＯ．           3.37      4.63      6.09
画角２ω          78.59     44.27     26.01
像高               3.86      3.86      3.86
D6                11.16      5.66      0.40 
D14                2.61      2.50     12.28
D16                3.00      8.62      4.09 
D18                2.09      2.09      2.09 
fb (in air)        3.49      3.49      3.49
全長 (in air)     36.73     36.73     36.73
各群焦点距離
１群       -10.51
２群         9.88
３群       -31.87
４群        13.13 
【０３３２】
数値実施例１４
面データ
面番号             Ｒ          Ｄ        ｎd      νd
1(非球面)       -17.220      0.50     1.74320    49.34
2(非球面)         6.994      1.16
3                 ∞         5.60     1.83481    42.71
4                 ∞         0.20
5                20.561      0.99     1.92286    18.90
6                75.052      D6 (可動)
7(絞り)           ∞         0.00
8(非球面)         5.554      2.61     1.67790    55.34
9              -510.360      0.50     1.80518    25.42 
10                 7.326      0.60
11                 5.999      2.96     1.58313    59.38
12(非球面)      1418.775      D12 (可動)
13              -181.047      0.50     1.52542    55.78
14                10.000      D14 (可動)
15                16.281      1.56     1.52542    55.78
16(非球面)       -17.709      D16 (可動)
17                 ∞         0.30     1.51633    64.14
18                 ∞         0.50
19                 ∞         0.50     1.51633    64.14
20                 ∞         0.37
像面               ∞
非球面係数
第１面
k=0.000
A4=1.08450e-04
A6=5.01520e-07
第２面
k=0.000
A4=-4.03516e-04
第８面
k=0.000
A4=--1.35152e-04
第１２面
k=0.000
A4=2.30253e-03
A6=6.15717e-05
A8=5.19875e-06
第１６面
k=0.000
A4=9.97933e-04
A6=-1.81277e-05
ズームデータ
ズーム比           2.85
広角端    中間      望遠端
焦点距離           5.60      8.94     15.96
ＦＮＯ．           3.45      4.67      6.42
画角２ω          78.38     47.08     26.24
像高               3.86      3.86      3.86
D6                10.20      5.91      0.40
D12                3.84      2.99      5.18
D14                3.00      8.66     12.26 
D16                1.11      0.58      0.30 
fb (in air)        2.50      1.98      1.70
全長 (in air)     36.73     36.73     36.73
各群焦点距離
１群       -10.36
２群         9.12
３群       -18.02
４群        16.40 
【０３３３】
図１５〜図２８は、実施例１〜実施例１４における（ａ）広角端、（ｂ）中間、（ｃ）望遠端での諸収差図である。
【０３３４】
これら諸収差図において、ＳＡは球面収差、ＡＳは非点収差、ＤＴは歪曲収差、ＣＣは倍率色収差を示す。球面収差ＳＡは、５８７．６ｎｍ（ｄ線：実線）、４３５．８ｎｍ（ｇ線：一点鎖線）、６５６．３ｎｍ（Ｃ線：破線）の各波長について示されている。また、倍率色収差ＣＣは、ｄ線を基準としたときの４３５．８ｎｍ（ｇ線：一点鎖線）、６５６．３ｎｍ（Ｃ線：破線）の各波長について示されている。また、非点収差ＤＴは、実線がサジタル像面、破線がメリジオナル像面のものを示している。なお、ＦＮＯはＦナンバーを、ωは半画角を示す。
【０３３５】
上記実施例１〜１４について、各構成要素の値及び各条件式（１）〜（１６）の値を下記に示しておく。
【０３３６】
条件式             実施例１       実施例２       実施例３       実施例４
(1)  fw/f13          0.129          0.141          0.102          0.1
(2)  ft/f13          0.503          0.55           0.49           0.479
(3)  fw/f11         -0.674         -0.678         -0.602         -0.603
(4)  ft/f11         -2.628         -2.642         -2.895         -2.897
(5)  f11/f13        -0.191         -0.208         -0.169         -0.165
(6)  1/ν13-1/ν11   0.023          0.023          0.033          0.033
(7)  ff1/f1         -0.836         -0.848         -0.91          -0.912
(8)  (R11F+R11R)
/(R11F-R11R)   0.468          0.405          0.739          0.737
(9)  D23t/D34t       0.254          0.151          0.224          0.252
(10) M3/M2           0.965          0.963          0.909          0.895
(11) M4/M2          -0.050         -0.084         -0.068         -0.065
(12) f4/f3          -0.626         -0.894         -0.836         -0.795
(13)β23w           -0.548         -0.566         -0.529         -0.529
(14)β23t           -1.928         -1.915         -2.289         -2.303
(15) log(Δβ34)
/logγ         0.449          0.470          0.387          0.374
(16) fw/f1          -0.414         -0.416         -0.426         -0.43
【０３３７】
条件式             実施例５       実施例６       実施例７       実施例８
(1)  fw/f13          0.13           0.113          0.107          0.134
(2)  ft/f13          0.622          0.543          0.512          0.658
(3)  fw/f11         -0.658         -0.668         -0.635         -0.675
(4)  ft/f11         -3.158         -3.200         -3.050         -3.31
(5)  f11/f13        -0.197         -0.17          -0.17          -0.199
(6)  1/ν13-1/ν11   0.022          0.018          0.024          0.021
(7)  ff1/f1         -0.812         -0.787         -0.896         -0.843
(8)  (R11F+R11R)
/(R11F-R11R)   0.550          0.857          0.56           0.668
(9)  D23t/D34t       0.479          0.894          0.35           0.435
(10) M3/M2           0.703          0.475          0.844          0.774
(11) M4/M2          -0.140         -0.142         -0.057         -0.075
(12) f4/f3          -0.473         -0.399         -0.667         -0.548
(13)β23w           -0.589         -0.615         -0.571         -0.569
(14)β23t           -2.186         -2.254         -2.423         -2.383
(15) log(Δβ34)
/logγ         0.320          0.263          0.39           0.344
(16) fw/f1          -0.388         -0.399         -0.430         -0.411
【０３３８】
条件式             実施例９       実施例10       実施例11       実施例12
(1)  fw/f13          0.143          0.095          0.154          0.119
(2)  ft/f13          0.55           0.457          0.438          0.457
(3)  fw/f11         -0.684         -0.599         -0.898         -0.708
(4)  ft/f11         -2.623         -2.87          -2.558         -2.726
(5)  f11/f13        -0.21          -0.159         -0.171         -0.168
(6)  1/ν13-1/ν11   0.023          0.024          0.033          0.033
(7)  ff1/f1         -0.848         -0.891         -0.887         -0.894
(8)  (R11F+R11R)
/(R11F-R11R)   0.386          0.571          0.483          0.507
(9)  D23t/D34t       0.154          0.343          0.561          0.426
(10) M3/M2           0.955          0.855          0.647          0.758
(11) M4/M2          -0.085         -0.063         -0.125         -0.056
(12) f4/f3          -0.894         -0.613         -1.013         -0.746
(13)β23w           -0.576         -0.567         -0.794         -0.645
(14)β23t           -1.918         -2.344         -2.059         -2.292
(15) log(Δβ34)
/logγ         0.463          0.398          0.292          0.317
(16) fw/f1          -0.420         -0.41          -0.618         -0.495
【０３３９】
条件式             実施例13       実施例14
(1)  fw/f13          0.172          0.184 
(2)  ft/f13          0.490          0.525 
(3)  fw/f11         -0.813         -0.844 
(4)  ft/f11         -2.318         -2.406 
(5)  f11/f13        -0.212         -0.218 
(6)  1/ν13-1/ν11   0.033          0.033 
(7)  ff1/f1         -0.003         -0.878 
(8)  (R11F+R11R)
/(R11F-R11R)   0.355          0.422 
(9)  D23t/D34t       0.409          0.423 
(10) M3/M2           0.102          0.863 
(11) M4/M2           0             -0.082 
(12) f4/f3          -0.412         -0.910 
(13)β23w           -0.762         -0.664 
(14)β23t           -2.172         -1.784 
(15) log(Δβ34)
/logγ         0.025          0.322 
(16) fw/f1          -0.533         -0.541 
【０３４０】
さて、以上のような本実施形態のズームレンズで物体像を形成しその像をＣＣＤ等の電子撮像素子に受光させて撮影を行う電子撮影装置、とりわけデジタルカメラやビデオカメラ等に用いることができる。以下に、その実施形態を例示する。
【０３４１】
図２９〜図３１は、本実施形態によるズームレンズをデジタルカメラの撮影光学系４１に組み込んだ構成の概念図を示す。図２９はデジタルカメラ４０の外観を示す前方斜視図、図３０は同後方斜視図、図３１はデジタルカメラ４０の構成を示す断面図である。
【０３４２】
デジタルカメラ４０は、この例の場合、撮影用光路４２を有する撮影光学系４１、ファインダー用光路４４を有するファインダー光学系４３、シャッター４５、フラッシュ４６、液晶モニター４７等を含む。
【０３４３】
デジタルカメラ４０の上部に配置されたシャッター４５を押圧すると、それに連動して撮影光学系４１、例えば実施例１の光路折り曲げズームレンズを通して撮影が行われる。撮影光学系４１によって形成された物体像は、近赤外カットフィルターと光学的ローパスフィルターＦを介してＣＣＤ４９の撮像面上に形成される。このＣＣＤ４９で受光された物体像は、処理手段５１を介し、電子画像としてカメラ背面に設けられた液晶表示モニター４７に表示される。また、この処理手段５１には、記録手段５２が接続され、撮影された電子画像を記録することもできる。
【０３４４】
なお、この記録手段５２は、処理手段５１と別体に設けてもよいし、フレキシブルディスクやメモリーカード、ＭＯ等により電子的に記録書き込みを行うように構成してもよい。また、ＣＣＤ４９に代わって、銀塩フィルムを配置した銀塩カメラとして構成してもよい。
【０３４５】
さらに、ファインダー用光路４４上にはファインダー用対物光学系５３が配置してある。このファインダー用対物光学系５３によって形成された物体像は、像正立部材であるポロプリズム１５５の視野枠５７上に形成される。このポリプリズム５５の後方には、正立正像にされた像を観察者眼球Ｅに導く接眼光学系５９が配置されている。なお、撮影光学系４１及びファインダー用対物光学系５３の入射側、接眼光学系５９の射出側にそれぞれカバー部材５０が配置されている。
【０３４６】
このように構成されたデジタルカメラ４０は、撮影光学系４１が５倍程度の高変倍比で、高い光学性能を有するズームレンズであるので、高性能で、奥行き方向が極めて薄い安価なデジタルカメラが実現できる。
【０３４７】
なお、図３０の例では、カバー部材５０として平行平面板を配置しているが、省いてもよい。
【０３４８】
図３２は、本実施形態のデジタルカメラ４０の主要部の内部回路を示すブロック図である。なお、以下の説明では、前述した処理手段５１は、例えば、ＣＤＳ／ＡＤＣ部２４、一時記憶メモリ１７、画像処理部１８等で構成され、記憶手段５２は、記憶媒体部等で構成される。
【０３４９】
図３２に示されるように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０３５０】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【０３５１】
操作部１２は、各種の入力ボタンやスイッチを備え、これらを介して外部（カメラ使用者）から入力されるイベント情報を制御部に通知する。制御部１３は、例えばＣＰＵなどからなる中央演算処理装置であって、不図示のプログラムメモリを内蔵し、プログラムメモリに格納されているプログラムに従って、デジタルカメラ４０全体を制御する。
【０３５２】
ＣＣＤ４９は、撮像駆動回路１６により駆動制御され、撮影光学系４１を介して形成された物体像の画素ごとの光量を電気信号に変換し、ＣＤＳ／ＡＤＣ部２４に出力する撮像素子である。
【０３５３】
ＣＤＳ／ＡＤＣ部２４は、ＣＣＤ４９から入力される電気信号を増幅し、かつ、アナログ／デジタル変換を行って、この増幅とデジタル変換を行っただけの映像生データ（ベイヤーデータ、以下ＲＡＷデータという。）を一時記憶メモリ１７に出力する回路である。
【０３５４】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【０３５５】
記憶媒体部１９は、例えばフラッシュメモリ等からなるカード型又はスティック型の記憶媒体を着脱自在に装着して、これらのフラッシュメモリに、一時記憶メモリ１７から転送されるＲＡＷデータや画像処理部１８で画像処理された画像データを記録して保持する。
【０３５６】
表示部２０は、液晶表示モニター４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０３５７】
このように構成されたデジタルカメラ４０は、撮影光学系４１として本発明のレンズ系を採用することで、小型で動画撮像に適した撮像装置とすることが可能となる。
【０３５８】
以上、本発明の種々の実施形態について説明したが、本発明はこれらの実施形態のみに限られるものではなく、それぞれの実施形態の構成を適宜組み合わせて構成した実施形態も本発明の範疇となるものである。
【０３５９】
例えば、実質的に屈折力を有さないレンズを、各レンズ群の何れかの群に配置することも可能である。また、第１レンズ群Ｇ1から第４レンズ群Ｇ4のレンズ群とは別に、実質的に屈折力を有さないレンズまたはレンズ群を配置することも可能である。
【符号の説明】
【０３６０】
１２…操作部
１３…制御部
１４、１５…バス
１６…撮像駆動回路
１７…一時記憶メモリ
１８…画像処理部
１９…記憶媒体部
２０…表示部
２１…設定情報記憶メモリ部
２２…バス
２４…ＣＤＳ／ＡＤＣ部
４０…デジタルカメラ
４１…撮影光学系
４２…撮影用光路
４５…シャッターボタン
４７…液晶表示モニター
【図１】
0005753000.tif 000002
【図２】
0005753000.tif 000003
【図３】
0005753000.tif 000004
【図４】
0005753000.tif 000005
【図５】
0005753000.tif 000006
【図６】
0005753000.tif 000007
【図７】
0005753000.tif 000008
【図８】
0005753000.tif 000009
【図９】
0005753000.tif 000010
【図１０】
0005753000.tif 000011
【図１１】
0005753000.tif 000012
【図１２】
0005753000.tif 000013
【図１３】
0005753000.tif 000014
【図１４】
0005753000.tif 000015
【図１５】
0005753000.tif 000016
【図１６】
0005753000.tif 000017
【図１７】
0005753000.tif 000018
【図１８】
0005753000.tif 000019
【図１９】
0005753000.tif 000020
【図２０】
0005753000.tif 000021
【図２１】
0005753000.tif 000022
【図２２】
0005753000.tif 000023
【図２３】
0005753000.tif 000024
【図２４】
0005753000.tif 000025
【図２５】
0005753000.tif 000026
【図２６】
0005753000.tif 000027
【図２７】
0005753000.tif 000028
【図２８】
0005753000.tif 000029
【図２９】
0005753000.tif 000030
【図３０】
0005753000.tif 000031
【図３１】
0005753000.tif 000032
【図３２】
0005753000.tif 000033